(57)【要約】【課題】高い色再現性を有する表示装置を提供する。【解決手段】表示装置は表示パネル、タイミングコントローラ、ゲートドライバ、及びデータドライバを含む。前記表示パネルは複数の画素グループを含む。前記画素グループの各々は第１画素と前記第１画素と一方向に隣接する第２画素を含む。前記第１画素及び前記第２画素はｎ個（ｎは３以上の奇数）のサブ画素を含む。前記第１画素及び前記第２画素は前記サブ画素の中で（ｎ＋１）／第２番目のサブ画素を互いに共有する。【選択図】図２
2018101140.tif 000002
【特許請求の範囲】
【請求項１】
複数の画素グループを含む表示パネルを有する表示装置であって、
前記複数の画素グループの各々が、第１画素と、前記第１画素と一方向に隣接する第２画素と、３以上の奇数であるｎ個のサブ画素と、を含む表示パネルと、
入力データに基づいて前記第１画素に対応する第１画素データと前記第２画素に対応する第２画素データとを生成し、前記第１画素データと前記第２画素データとに基づいて第（ｎ＋１）／２番目のサブ画素に対応する共有サブ画素データを生成するタイミングコントローラと、
前記サブ画素にゲート信号を提供するゲートドライバと、
前記サブ画素に出力データに対応するデータ電圧を提供するデータドライバと、
を含む表示装置。
【請求項２】
前記入力データはレッドとグリーンとブルーに関するデータであり、
前記第１画素データ及び前記第２画素データそれぞれは、レッドとグリーンとブルーとホワイトに関するデータである請求項１に記載の表示装置。
【請求項３】
前記共有サブ画素データは、前記第１画素データ中前記第（ｎ＋１）／２番目のサブ画素に対応する第１共有サブ画素データと前記第２画素データ中上記（ｎ＋１）／２番目のサブ画素に対応する第２共有サブ画素データとを演算して生成されるものである請求項１に記載の表示装置。
【請求項４】
前記第１画素データと前記第２画素データとは前記第（ｎ＋１）／２番目のサブ画素を除く残りのサブ画素に対応するノーマルサブ画素データを含み、前記タイミングコントローラは前記ノーマルサブ画素データを変更しない請求項３に記載の表示装置。
【請求項５】
前記タイミングコントローラは、前記入力データを線形化させるガンマ補正部と、前記線形化された入力データをレッドデータとグリーンデータとブルーデータとホワイトデータとを有するＲＧＢＷデータにマッピングするガンママッピング部と、前記ＲＧＢＷデータをレンダリングして前記サブ画素のそれぞれに対応するレンダリングデータを生成するサブ画素レンダリング部と、前記レンダリングデータを非線形化させる逆ガンマ補正部と、を含む請求項１に記載の表示装置。
【請求項６】
前記サブ画素レンダリング部は再サンプルフィルターを使用して上記ＲＧＢＷデータに基づいて前記第１画素に対応する第１画素データと前記第２画素に対応する第２画素データとを含む中間レンダリングデータを生成する第１レンダリング部と、
前記第１画素データ中（ｎ＋１）／２番目のサブ画素に対応する第２共有サブ画素データを演算して共有サブ画素データを生成する第２レンダリング部と、を含む請求項１に記載の表示装置。
【請求項７】
前記第１画素データと前記第２画素データとは前記サブ画素の中で前記第（ｎ＋１）／２番目のサブ画素を除く残りのサブ画素に対応するノーマルサブ画素データを含み、前記第２レンダリング部は上記ノーマルサブ画素データを変更しない請求項１に記載の表示装置。
【請求項８】
前記第１画素及び前記第２画素それぞれの縦横比が、実質的に１：１である請求項１に記載の表示装置。
【請求項９】
前記第１画素データは、上記ＲＧＢＷデータのうち前記第１画素を囲むか前記第１画素が配置される９つの第１乃至第９画素領域に対応するデータに基づいて形成され、
前記第２画素データは、上記ＲＧＢＷデータのうち前記第２画素を囲むか前記第２画素が配置される９つの第４乃至第１２画素領域に対応するデータに基づいて形成され、
前記第１画素は第１ノーマルサブ画素、第２ノーマルサブ画素、及び第１共有サブ画素を含み、
前記第２画素は、第３ノーマルサブ画素、第４ノーマルサブ画素、及び第２共有サブ画素を含み、
上記再サンプルフィルターは、
前記第１ノーマルサブ画素に対応する第１ノーマル再サンプルフィルターと、
前記第２のノーマルサブ画素に対応する第２ノーマル再サンプルフィルターと、
前記第１共有サブ画素に対応する第１共有再サンプルフィルターと、
前記第２共有サブ画素に対応する第２共有再サンプルフィルターと、
前記第３ノーマルサブ画素に対応する第３ノーマル再サンプルフィルターと、
第４ノーマルサブ画素に対応する第４ノーマル再サンプルフィルターと、を含み、
前記第１共有再サンプルフィルターと前記第２共有再サンプルフィルターそれぞれのスケール係数総和は、前記第１ノーマル再サンプルフィルター、前記第２ノーマル再サンプルフィルター、前記第３ノーマル再サンプルフィルター、及び前記第４ノーマル再サンプルフィルターそれぞれのスケール係数総和よりも小さい、請求項６に記載の表示装置。
【請求項１０】
前記第１から第９画素領域の位置は、第１行第１列、第２行第１列、第３行第１列、第１行第２列、第２行第２列、第３行第２列、第１行第３列、第２行第３列、第３行第３列に設定され、
前記第４から第１２画素領域の位置は、第１行第１列、第２行第１列、第３行第１列、第１行第２列、第２行第２列、第３行第２列、第１行第３列、第２行第３列、第３行第３列に設定され、
前記第１ノーマル再サンプルフィルターのスケール係数は、前記第１乃至第９画素領域にそれぞれ対応して０、０．１２５、０、０．０６２５、０．６２５、０．０６２５、０．０６２５、０、０．０６２５であり、
前記第２ノーマル再サンプルフィルターのスケール係数は、前記第１乃至第９画素領域にそれぞれ対応して０、０、０、０．１２５、０．６２５、０．１２５、０、０．１２５、０であり、
前記第１共有再サンプルフィルターのスケール係数は、前記第１乃至第９画素領域にそれぞれ対応して０．０６２５、０、０．０６２５、０、０．２５、０、０、０．１２５、０であり、
前記第２共有再サンプルフィルターのスケール係数は、前記第４乃至第１２画素領域にそれぞれ対応して０、０．１２５、０、０、０．２５、０、０．０６２５、０、０．０６２５であり、
前記第３ノーマル再サンプルフィルターのスケール係数は、前記第乃至第１２画素領域にそれぞれ対応して０、０．１２５、０、０．１２５、０．６２５、０．１２５、０、０、０であり、
前記第４ノーマル再サンプルフィルターのスケール係数は、前記第４乃至第１２画素領域にそれぞれ対応して０．０６２５、０、０．０６２５、０．０６２５、０．６２５、０．０６２５、０、０．１２５、０である、請求項９に記載の表示装置。
【発明の詳細な説明】
【技術分野】
【０００１】
本発明は、表示装置、及び駆動方法に関する。
【背景技術】
【０００２】
従来のディスプレイ装置の各画素はレッド、グリーン、及びブルーカラーを各々表現する３個のサブ画素を含む。一般に、このような構造をＲＧＢ  Ｓｔｒｉｐｅ構造であると称する。
【０００３】
最近、１つの画素が４つのサブ画素、即ち、レッド、グリーン、ブルー、及びホワイトの４つのサブ画素からなるＲＧＢＷ構造を利用してディスプレイ装置の輝度を向上させるための技術が開発されている。また、ＲＧＢ  Ｓｔｒｉｐｅ構造の各画素が形成される領域に２つのサブ画素（ＲＧＢＷの中で、それぞれ２つ）が形成されるように設計した構造を利用してディスプレイ装置の全体的な開口率及び透過率を上げる技術が開発されている。
【先行技術文献】
【特許文献】
【０００４】
【特許文献１】米国特許第７，５８３，２７９号公報
【特許文献２】米国特許第７，４１７，６４８号公報
【特許文献３】米国特許公開第２００４／００５１７２４号明細書
【特許文献４】米国特許公開第２００４／００８０４７９号明細書
【特許文献５】韓国特許公開第１０−２０１２−００９３００３号明細書
【発明の概要】
【発明が解決しようとする課題】
【０００５】
本発明の目的は、高い透過率及び開口率を有する表示装置を提供することにある。また、本発明の他の目的は、高い色再現性を有する表示装置を提供することにある。本発明のその他の目的は、上記した表示装置の駆動方法を提供することにある。
【課題を解決するための手段】
【０００６】
表示装置は、表示パネル、タイミングコントローラ、ゲートドライバ、及びデータドライバを含む。前記表示パネルは、複数の画素グループを含む。前記画素グループの各々は、第１画素と前記第１画素と一方向に隣接する第２画素とを含む。前記第１画素及び前記第２画素は、３以上の奇数であるｎ個のサブ画素を含む。前記第１画素及び前記第２画素は、前記サブ画素の中で第（ｎ＋１）／２番目のサブ画素を互いに共有する。前記サブ画素の各々は、前記複数の画素グループいずれか１つの画素グループに含まれる。
【０００７】
前記タイミングコントローラは、入力データに基づいてレンダリング動作を遂行して前記サブ画素に対応する出力データを生成する。
【０００８】
前記ゲートドライバは、前記サブ画素にゲート信号を提供する。
【０００９】
前記データドライバは、前記サブ画素に前記出力データに対応するデータ電圧を提供する。
【００１０】
本発明の実施形態で、前記サブ画素は、２行４列又は４行２列に配列された８個のサブ画素グループ単位で反復的に配列される。前記サブ画素グループは、２つのレッドサブ画素、２つのグリーンサブ画素、２つのブルーサブ画素、及び２つのホワイトサブ画素を含むことができる。
【００１１】
本発明の実施形態で、前記サブ画素は、２行５列又は５行２列に配列された１０個のサブ画素グループ単位で反復的に配列されてもよい。前記サブ画素グループは、２つのレッドサブ画素、２つのグリーンサブ画素、２つのブルーサブ画素、及び４つのホワイトサブ画素を含むことができる。
【００１２】
本発明の実施形態で、前記サブ画素は、２行５列又は５行２列に配列された１０個のサブ画素グループ単位で反復的に配列されてもよい。前記サブ画素グループは、３個のレッドサブ画素、３個のグリーンサブ画素、２つのブルーサブ画素、及び２つのホワイトサブ画素を含むことができる。
【００１３】
前記サブ画素グループは、３個のレッドサブ画素、３個のグリーンサブ画素、２つのブルーサブ画素、及び２つのホワイトサブ画素を含むことができる。前記サブ画素グループは、２つのレッドサブ画素、４つのグリーンサブ画素、２つのブルーサブ画素、及び２つのホワイトサブ画素を含むことができる。
【００１４】
本発明の実施形態で、前記サブ画素は、２行６列又は６行２列に配列された１２個のサブ画素グループ単位で反復的に配列されてもよい。前記サブ画素グループは、４つのレッドサブ画素、４つのグリーンサブ画素、２つのブルーサブ画素、及び２つのホワイトサブ画素を含むことができる。
【００１５】
本発明の実施形態で、前記サブ画素は、１行３列又は３行１列に配列された３個のサブ画素グループ単位で反復的に配列されてもよい。前記サブ画素グループは、１つのレッドサブ画素、１つのグリーンサブ画素、及び１つのブルーサブ画素を含むことができる。
【００１６】
本発明の実施形態で、前記（ｎ＋１）／第２番目のサブ画素は、ホワイトサブ画素であってもよい。
【００１７】
本発明の実施形態で、前記第１画素及び前記第２画素の各々の横縦比は、実質的に１：１であってもよい。
【００１８】
本発明の実施形態で、ｎは５であってもよい。
【００１９】
本発明の実施形態で、前記第１画素及び前記第２画素の各々に含まれたサブ画素は、互に異なる３個の色相を表現することができる。
【００２０】
本発明の実施形態で、前記第１画素及び前記第２画素の各々に含まれたサブ画素は、互に異なる３個の色相を表現することができる。前記ゲートラインは、第１方向に延長され、前記サブ画素に接続されてもよい。前記データラインは、前記第１方向に交差する第２方向に延長され、前記サブ画素に接続されてもよい。前記第１画素及び前記第２画素は、前記第１方向に互いに隣接することができる。
【００２１】
本発明の実施形態で、前記サブ画素の各々の横縦比は、実質的に１：２．５であってもよい。
【００２２】
本発明の実施形態で、前記サブ画素は、前記第１方向に順に第１乃至第５サブ画素を含むことができる。前記第１サブ画素及び前記第４サブ画素の各々の横縦比は、実質的に２：３．７５であってもよく、前記第２サブ画素及び前記第５サブ画素の各々の横縦比は、実質的に１：３．７５であってもよく、前記第３サブ画素の横縦比は、１．５：３．７５であってもよい。
【００２３】
本発明の実施形態で、前記第１画素及び前記第２画素は、前記第２方向に互いに隣接することができる。
【００２４】
本発明の実施形態で、前記サブ画素の各々の横縦比は、実質的に２．５：１であってもよい。
【００２５】
本発明の実施形態で、ｎは３であってもよい。
【００２６】
本発明の実施形態で、前記第１画素及び前記第２画素の各々に含まれたサブ画素は、互に異なる２つの色相を表現することができる。
【００２７】
本発明の実施形態で、前記第１画素及び前記第２画素は、前記第１方向に互いに隣接することができる。
【００２８】
本発明の実施形態で、前記複数の画素グループは、前記第２方向に互いに隣接する第１画素グループ及び第２画素グループを含むことができる。前記第１画素グループは、複数のサブ画素からなされた第１行サブ画素を含み、前記第２画素グループは、複数のサブ画素からなされた第２行サブ画素を含むことができる。前記第２行サブ画素は、前記第１行サブ画素に比べて前記第１方向に各サブ画素の前記第１方向幅の半分ぐらいシフトされてもよい。
【００２９】
本発明の実施形態で、前記サブ画素の各々の横縦比は、実質的に１：１．５であってもよい。
【００３０】
本発明の実施形態で、前記第１画素及び前記第２画素は、前記第２方向に互いに隣接することができる。
【００３１】
本発明の実施形態で、前記サブ画素の各々の横縦比は、実質的に１．５：１であってもよい。
【００３２】
本発明の実施形態で、前記タイミングコントローラは、ガンマ補正部、ガンママッピング部、サブ画素レンダリング部、及び逆ガンマ補正部を含むことができる。前記ガンマ補正部は、前記入力データを線形化させることができる。前記ガンママッピング部は、前記線形化された入力データをレッド、グリーン、ブルー、及びホワイトデータを有するＲＧＢＷデータにマッピングすることができる。前記サブ画素レンダリング部は、前記ＲＧＢＷデータをレンダリングして前記サブ画素の各々に対応するレンダリングデータを生成することができる。前記逆ガンマ補正部は、前記レンダリングデータを非線形化させることができる。
【００３３】
本発明の実施形態で、前記サブ画素レンダリング部は、第１レンダリング部及び第２レンダリング部を含むことができる。前記第１レンダリング部は、再サンプルフィルターを使用して前記ＲＧＢＷデータに基づいて前記第１画素に対応する第１画素データ及び前記第２画素に対応する第２画素データを含む中間レンダリングデータを生成することができる。前記第２レンダリング部は、前記第１画素データの中で前記（ｎ＋１）／第２番目のサブ画素に対応する第１共有サブ画素データと前記第２画素データとの中で前記（ｎ＋１）／第２番目のサブ画素に対応する第２共有サブ画素データを演算して共有サブ画素データを生成することができる。
【００３４】
本発明の実施形態で、前記第１画素データ及び前記第２画素データは、前記サブ画素の中で前記（ｎ＋１）／第２番目のサブ画素を除外した残りのサブ画素に対応するノーマルサブ画素データを含み、前記第２レンダリング部は、前記ノーマルサブ画素データを変更しなくともよい。
【００３５】
本発明の実施形態で、前記第１画素データは、前記ＲＧＢＷデータの中で前記第１画素を囲むか、或いは前記第１画素が配置される９つの第１乃至第９画素領域に対応するデータに基づいて形成されてもよい。前記第２画素データは、前記ＲＧＢＷデータの中で前記第２画素を囲まれるか、或いは前記第２画素が配置される９つの第４乃至第１２画素領域に対応するデータに基づいて形成されてもよい。
【００３６】
本発明の実施形態に係る表示装置は、複数の画素及び複数のサブ画素を含むことができる。前記複数のサブ画素は、前記複数の画素の中で隣接する２つの画素が互いに共有する共有サブ画素と前記複数の画素の各々に含まれるノーマルサブ画素とを含むことができる。前記サブ画素の数は、前記画素数のｘ．５（ｘは自然数）倍であってもよい。
【００３７】
ｘは１又は２であってもよい。前記共有サブ画素及び前記ノーマルサブ画素の各々の横縦比は、実質的に１：２．５又は１：１．５であってもよい。
【００３８】
本発明の実施形態に係る表示装置の駆動方法は、入力データをレッド，グリーン，ブルー，及びホワイトデータを有するＲＧＢＷデータにマッピングする段階と、前記ＲＧＢＷデータを基づいて第１画素に対応する第１画素データ及び前記第１画素と一方向に隣接する第２画素に対応する第２画素データを生成する段階と、前記第１画素データの中で前記第１画素及び前記第２画素が互いに共有する共有サブ画素に対応する第１共有サブ画素データと前記第２画素データとの中で前記共有サブ画素に対応する第２共有サブ画素データを演算して共有サブ画素データを生成する段階と、を含むことができる。
【００３９】
前記共有サブ画素データは、前記第１共有サブ画素データと前記第２共有サブ画素データとを合算して生成されてもよい。前記共有サブ画素データの最大階調は、前記第１画素及び前記第２画素に含まれたサブ画素の中で前記共有画素を除外したノーマルサブ画素の各々に対応するノーマルサブ画素データの最大階調の半分であってもよい。
【００４０】
本発明の実施形態に係る表示装置は、表示パネル、タイミングコントローラ、ゲートドライバ、及びデータドライバを含むことができる。前記表示パネルは、複数の画素グループを含むことができる。前記画素グループの各々は、第１画素と前記第１画素と一方向に隣接する第２画素とを含むことができる。２つの前記第１画素及び前記第２画素は、ｎ個（ｎは３以上の奇数）のサブ画素を含むことができる。
【００４１】
前記タイミングコントローラは、入力データに基づいて前記第１画素に対応する第１画素データ及び前記第２画素に対応する第２画素データを生成し、（ｎ＋１）／第２番目のサブ画素に対応する共有サブ画素データを前記第１画素データ及び前記第２画素データに基づいて生成することができる。
【００４２】
前記ゲートドライバは、前記サブ画素にゲート信号を提供することができる。
【００４３】
前記データドライバは、前記サブ画素に前記第１画素データの一部、前記第２画素データの一部、及び前記共有サブ画素データに対応するデータ電圧を提供することができる。
【発明の効果】
【００４４】
本発明の表示装置及びその駆動方法によれば、表示装置の透過率及び開口率を向上させることができる。また、表示装置の色再現性を向上させることができる。
【図面の簡単な説明】
【００４５】
【図１】本発明の実施形態に係る表示装置の概略的なブロック図である。
【図２】本発明の一実施形態に係る図１の表示パネルの一部を示した図面である。
【図３】図２の第１画素とその周辺とを拡大して示した図面である。
【図４】図２の１つのサブ画素（レッドサブ画素）とその周辺とを拡大して示した図面である。
【図５】図１のタイミングコントローラを示したブロック図である。
【図６】図５のサブ画素レンダリング部を示したブロック図である。
【図７】本発明の実施形態に係る３ｘ４の画素領域を示した図面である。
【図８】図７の第５画素領域に配置された第１画素を示した図面である。
【図９Ａ】図８の第１画素データを生成するのに使用される再サンプルフィルターを示した図面である。
【図９Ｂ】図８の第１画素データを生成するのに使用される再サンプルフィルターを示した図面である。
【図９Ｃ】図８の第１画素データを生成するのに使用される再サンプルフィルターを示した図面である。
【図１０】図７の第８画素領域に配置された第２画素を示した図面である。
【図１１Ａ】図１０の第２画素データを生成するのに使用される再サンプルフィルターを示した図面である。
【図１１Ｂ】図１０の第２画素データを生成するのに使用される再サンプルフィルターを示した図面である。
【図１１Ｃ】図１０の第２画素データを生成するのに使用される再サンプルフィルターを示した図面である。
【図１２】図２の表示パネルを含む表示装置、第１比較例、及び第２比較例のｐｐｉにしたがう透過率を示したグラフである。
【図１３】本発明の他の実施形態に係る図１の表示パネルの一部を示した図面である。
【図１４】本発明の他の実施形態に係る図１の表示パネルの一部を示した図面である。
【図１５】本発明の他の実施形態に係る図１の表示パネルの一部を示した図面である。
【図１６】本発明の他の実施形態に係る図１の表示パネルの一部を示した図面である。
【図１７】本発明の他の実施形態に係る図１の表示パネルの一部を示した図面である。
【図１８】図７の第５画素領域に配置された第１画素を示した図面である。
【図１９Ａ】図１８の第１画素データを生成するのに使用される再サンプルフィルターを示した図面である。
【図１９Ｂ】図１８の第１画素データを生成するのに使用される再サンプルフィルターを示した図面である。
【図２０】図７の第８画素領域に配置された第２画素を示した図面である。
【図２１Ａ】図２０の第２画素データを生成するのに使用される再サンプルフィルターを示した図面である。
【図２１Ｂ】図２０の第２画素データを生成するのに使用される再サンプルフィルターを示した図面である。
【図２２】図１７の表示パネルを含む表示装置、第１比較例、及び第２比較例のｐｐｉにしたがう透過率を示したグラフである。
【図２３】本発明の他の実施形態に係る図１の表示パネルの一部を示した図面である。
【図２４】本発明の他の実施形態に係る図１の表示パネルの一部を示した図面である。
【図２５】本発明の他の実施形態に係る図１の表示パネルの一部を示した図面である。
【図２６】本発明の他の実施形態に係る図１の表示パネルの一部を示した図面である。
【発明を実施するための形態】
【００４６】
本発明は多様な変更を加えることができ、様々な形態を有してもよいので、特定実施形態を図面に例示し、本文で詳細に説明する。しかし、これは本発明を特定な開示形態に対して限定しようとすることでなく、本発明の思想及び技術範囲に含まれる全ての変更、均等物乃至代替物を含むこととして理解しなければならない。
【００４７】
図１は本発明の実施形態に係る表示装置の概略的なブロック図である。
【００４８】
図１を参照すると、本発明の実施形態に係る表示装置１０００は表示パネル１００、タイミングコントローラ２００、ゲートドライバ３００、及びデータドライバ４００を含む。
【００４９】
前記表示パネル１２０は画像を表示する。表示パネル１００は特別に限定されることではなく、例えば液晶表示パネル（ｌｉｑｕｉｄ  ｃｒｙｓｔａｌ  ｄｉｓｐｌａｙ  ｐａｎｅｌ）、有機発光表示パネル（ｏｒｇａｎｉｃ  ｌｉｇｈｔ  ｅｍｉｔｔｉｎｇ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、エレクトロ・ウェッティング表示パネル（ｅｌｅｃｔｒｏｗｅｔｔｉｎｇ  ｄｉｓｐｌａｙ  ｐａｎｅｌ）等が採用されてもよい。
【００５０】
表示パネル１００が自発光型表示パネルである有機発光表示パネルである場合、表示パネル１００に光を提供するバックライトユニットが要求されない。しかし、表示パネル１００が非発光型である液晶表示パネルである場合、表示装置１０００は表示パネル１００に光を提供するためのバックライトユニット（図示せず）をさらに含む。
【００５１】
表示パネル１００は第１方向ＤＲ１に延長する複数のゲートラインＧＬ１〜ＧＬｋと前記第１方向ＤＲ１に交差する第２方向ＤＲ２に延長する複数のデータラインＤＬ１〜ＤＬｍとを含む。
【００５２】
表示パネル１００は複数のサブ画素ＳＰを含む。サブ画素ＳＰの各々はゲートラインＧＬ１〜ＧＬｋ及びデータラインＤＬ１〜ＤＬｍに接続される。図１には第１ゲートラインＧＬ１と第１データラインＤＬ１とに接続されたサブ画素ＳＰを一例として図示した。
【００５３】
表示パネル１００は複数の画素ＰＸ＿Ａ、ＰＸ＿Ｂを含む。複数の画素ＰＸ＿Ａ、ＰＸ＿Ｂの各々はｘ．５個（ｘは自然数）のサブ画素を含む。即ち、複数の画素ＰＸ＿Ａ、ＰＸ＿Ｂの各々はｘ個のノーマルサブ画素ＳＰ＿Ｎと１つの共有サブ画素ＳＰ＿Ｓに対する一定な持分とを有する。２つの画素ＰＸ＿Ａ、ＰＸ＿Ｂは１つの共有サブ画素ＳＰ＿Ｓを互いに共有する。これに対する具体的な内容は後述される。
【００５４】
タイミングコントローラ２００は外部のグラフィック制御部（図示せず）から入力データＲＧＢ及び制御信号ＣＳを受信する。入力データＲＧＢはレッド、グリーン、及びブルーデータからなされる。制御信号ＣＳはフレーム区別信号である垂直同期信号、行区別信号である水平同期信号、データが入ってくる区域を表示するためにデータが出力される区間の間にハイレベルであるデータイネーブル信号、及びメーンクロック信号を含む。
【００５５】
タイミングコントローラ２００は入力データＲＧＢに基づいてサブ画素ＳＰに対応するデータを生成し、生成されたデータのデータフォーマットをデータドライバ４００のインターフェイス仕様に合うように変換する。タイミングコントローラ２００は変換された出力データＲＧＢＷｆをデータドライバ４００に出力する。具体的に、タイミングコントローラ２００は入力データＲＧＢに基づいてレンダリング動作を遂行してサブ画素ＳＰに対応するデータを生成する。これと関連された具体的な内容は後述される。
【００５６】
タイミングコントローラ２００は制御信号ＣＳに基づいてゲート制御信号ＧＣＳ及びデータ制御信号ＤＣＳを生成する。タイミングコントローラ２００はゲート制御信号ＧＣＳをゲートドライバ３００に出力し、データ制御信号ＤＣＳをデータドライバ４００に出力する。
【００５７】
ゲート制御信号ＧＣＳはゲートドライバ３００を駆動するための信号であり、データ制御信号ＤＣＳはデータドライバ４００を駆動するための信号である。
【００５８】
ゲートドライバ３００はゲート制御信号ＧＣＳに基づいてゲート信号を生成し、ゲート信号をゲートラインＧＬ１〜ＧＬｋに出力する。ゲート制御信号ＧＣＳは走査開始を指示する走査開始信号、ゲートオン電圧の出力周期を制御する少なくとも１つのクロック信号、及びゲートオン電圧の持続時間を限定する出力イネーブル信号を含む。
【００５９】
ゲート制御信号ＧＣＳは走査開始を指示する走査開始信号、ゲートオン電圧の出力周期を制御する少なくとも１つのクロック信号、及びゲートオン電圧の持続時間を限定する出力イネーブル信号を含む。データ制御信号ＤＣＳは変換された出力データＲＧＢＷｆがデータドライバ４００に伝送されることの開始を知らせる水平開始信号ＳＴＨ、データラインＤＬ１〜ＤＬｍにデータ電圧の印加を示すロード信号、及び共通電圧に対してデータ電圧の極性を反転させる反転信号（液晶表示パネルの場合）を含む。
【００６０】
タイミングコントローラ２００、ゲートドライバ３００、及びデータドライバ４００の各々は少なくとも１つの集積回路チップの形態に表示パネル１００に直接装着されるか、可撓性印刷回路基板（ｆｌｅｘｉｂｌｅ  ｐｒｉｎｔｅｄ  ｃｉｒｃｕｉｔ  ｂｏａｒｄ）上に装着されてＴＣＰ（ｔａｐｅ  ｃａｒｒｉｅｒ  ｐａｃｋａｇｅ）の形態に表示パネル１００に付着されるか、或いは別の印刷回路基板（ｐｒｉｎｔｅｄ  ｃｉｒｃｕｉｔ  ｂｏａｒｄ）上に装着される。これとは異なりに、ゲートドライバ３００及びデータドライバ４００の中で少なくとも１つはゲートラインＧＬ１〜ＧＬｋ及びデータラインＤＬ１〜ＤＬｍと共に表示パネル１００に集積されてもよい。また、タイミングコントローラ２００、ゲートドライバ３００、及びデータドライバ４００は単一チップに集積されてもよい。
【００６１】
本発明の実施形態に係る１つの画素は２．５個のサブ画素又は１．５個のサブ画素を含む。先ず、１つの画素が２．５個のサブ画素を含む実施形態を説明した後、１つの画素が１．５個のサブ画素を含む実施形態を説明する。
【００６２】
図２は本発明の一実施形態に係る図１の表示パネルの一部を示した図面である。
【００６３】
図２を参照すると、表示パネル１００は複数のサブ画素Ｒ、Ｇ、Ｂ、Ｗを含む。サブ画素Ｒ、Ｇ、Ｂ、Ｗは原色（ｐｒｉｍａｒｙ  ｃｏｌｏｒ）の中で１つを表示する。本実施形態で、原色はレッド、グリーン、ブルー、及びホワイトを含む。したがって、サブ画素Ｒ、Ｇ、Ｂ、Ｗはレッドサブ画素Ｒ、グリーンサブ画素Ｇ、ブルーサブ画素Ｂ、及びホワイトサブ画素Ｗを含む。一方、これに制限されることではなく、原色はイエロー、シアン、及びマゼンタ等の多様な色相をさらに含むこともあり得る。
【００６４】
図２でサブ画素Ｒ、Ｇ、Ｂ、Ｗは２行４列に配列された８個のサブ画素からなされたサブ画素グループＳＰＧ単位で反復的に配列される。サブ画素グループＳＰＧは２つのレッドサブ画素Ｒ、２つのグリーンサブ画素Ｇ、２つのブルーサブ画素Ｂ、及び２つのホワイトサブ画素Ｗを含む。
【００６５】
図２で、サブ画素グループＳＰＧの中で第１行サブ画素は第１方向ＤＲ１にレッドサブ画素Ｒ、グリーンサブ画素Ｇ、ブルーサブ画素Ｂ、及びホワイトサブ画素Ｗの順に配列される。また、サブ画素グループＳＰＧの中で第２行サブ画素は第１方向ＤＲ１にブルーサブ画素Ｂ、ホワイトサブ画素Ｗ、レッドサブ画素Ｒ、及びグリーンサブ画素Ｇの順に配列される。一方、これに制限されることではなく、サブ画素グループＳＰＧ内のサブ画素の色相配列は多様に変更されてもよい。
【００６６】
表示パネル１００は画素グループＰＧ１〜ＰＧ４を含む。画素グループＰＧ１〜ＰＧ４の各々は互いに隣接する２つの画素を含む。図２では４つの画素グループＰＧ１〜ＰＧ４を一例として図示した。各画素グループＰＧ１〜ＰＧ４が含むサブ画素の色相配列を除外すれば、互いに同一の構造を有する。以下、第１画素グループＰＧ１を一例として説明する。
【００６７】
第１画素グループＰＧ１は第１方向ＤＲ１に互いに隣接する第１画素ＰＸ１及び第２画素ＰＸ２を含む。図２で第１画素ＰＸ１及び第２画素ＰＸ２はハッチングを異なりにして表示した。
【００６８】
表示パネル１００は複数の画素領域ＰＡ１、ＰＡ２を含み、各画素領域ＰＡ１、ＰＡ２には画素ＰＸ１、ＰＸ２が配置される。この時、画素ＰＸ１、ＰＸ２は表示パネル１００の解像度を決定する単位素子であり、画素領域ＰＡ１、ＰＡ２は各画素が配置された領域を意味する。画素領域ＰＡ１、ＰＡ２の各々は互に異なる３個の色相を表現することができる領域である。
【００６９】
画素領域ＰＡ１、ＰＸ２の各々は１：１の第１方向ＤＲ１対第２方向ＤＲ２の比率（以下、横縦比と称する）を有する領域に設定される。以下で、設定された画素領域の形状（横縦比）によって１つの画素は１つのサブ画素の一部を含む。本発明によると、１つの独立的なサブ画素（一例として、第１画素グループＰＧ１のブルーサブ画素Ｂ）は１つの画素内に含まれなく、１つの独立的なサブ画素（一例として、第１画素グループＰＧ１のブルーサブ画素Ｂ）の一部が１つの画素内に含まれる。
【００７０】
第１画素領域ＰＡ１には第１画素ＰＸ１が配置され、第２画素領域ＰＡ２には第２画素ＰＸ２が配置される。
【００７１】
第１画素領域ＰＡ１と第２画素領域ＰＡ２とにはｎ個（ｎは３以上の奇数）のサブ画素Ｒ、Ｇ、Ｂ、Ｗ、Ｒが配置される。図２で、ｎは５であり、第１画素領域ＰＡ１と第２画素領域ＰＡ２に５つのサブ画素Ｒ、Ｇ、Ｂ、Ｗ、Ｒが配置されたことを一例として図示した。
【００７２】
サブ画素Ｒ、Ｇ、Ｂ、Ｗ、Ｒの各々は画素グループＰＧ１〜ＰＧ４の中でいずれか１つの画素グループＰＧ１に含まれる。即ち、サブ画素Ｒ、Ｇ、Ｂ、Ｗ、Ｒが２以上の画素グループの全てに共通に含まれないこともあり得る。
【００７３】
サブ画素Ｒ、Ｇ、Ｂ、Ｗ、Ｒの中で第１方向ＤＲ１に第（ｎ＋１）／２番目のサブ画素（Ｂ、以下、共有サブ画素）は第１画素領域ＰＡ１及び第２画素領域ＰＡ２に重畳してもよい。即ち、共有サブ画素Ｂは第１画素ＰＸ１と第２画素ＰＸ２とに含まれたサブ画素Ｒ、Ｇ、Ｂ、Ｗ、Ｒの中で真ん中に配置され、第１画素領域ＰＡ１及び第２画素領域ＰＡ２に重畳してもよい。
【００７４】
第１画素ＰＸ１と第２画素ＰＸ２とは共有サブ画素Ｂを互いに共有する。第１画素ＰＸ１と第２画素ＰＸ２とは共有サブ画素Ｂを互いに共有する。
【００７５】
同様に、第２乃至第４画素グループＰＧ２〜ＰＧ４の各々に含まれた２つの画素は１つの共有サブ画素を互いに共有してもよい。第１画素グループＰＧ１の共有サブ画素はブルーサブ画素Ｂであり、第２画素グループＰＧ２の共有サブ画素はホワイトサブ画素Ｗであり、第３画素グループＰＧ３の共有サブ画素はレッドサブ画素Ｒであり、第４画素グループＰＧ４の共有サブ画素はグリーンサブ画素Ｇである。
【００７６】
即ち、表示パネル１００は、各々が隣接する２つの画素を含む画素グループＰＧ１〜ＰＧ４を含み、各画素グループＰＧ１〜ＰＧ４の２つの画素ＰＸ１、ＰＸ２は１つのサブ画素Ｂを共有する。
【００７７】
第１画素ＰＸ１及び第２画素ＰＸ２は同一の１ｈ区間の間に駆動される。ここで、１ｈ区間は水平走査区間に、１つのゲート信号のパルスオン区間として定義される。即ち、第１画素ＰＸ１及び第２画素ＰＸ２は同一のゲートラインに接続されて、同一のゲート信号によって駆動される。同様に、第１画素グループＰＧ１及び第２画素グループＰＧ２は同一の第１番目の１ｈ区間の間に駆動され、第３画素グループＰＧ３及び第４画素グループＰＧ４は同一の第２番目の１ｈ区間の間に駆動される。
【００７８】
本発明の実施形態で、第１画素ＰＸ１及び第２画素ＰＸ２の各々は２．５個のサブ画素を含む。具体的に、第１画素ＰＸ１は第１方向ＤＲ１にレッドサブ画素Ｒ、グリーンサブ画素Ｇ、及びブルーサブ画素Ｂに対する１／２持分を含む。第２画素ＰＸ２は第１方向ＤＲ１にブルーサブ画素Ｂに対する残りの１／２持分、ホワイトサブ画素Ｗ、及びレッドサブ画素Ｒを含む。
【００７９】
本発明の実施形態で、第１画素ＰＸ１及び第２画素ＰＸ２の各々に含まれたサブ画素は互に異なる３個の色相を表現する。第１画素ＰＸ１はレッド、グリーン、及びブルーを表示し、第２画素ＰＸ２はブルー、ホワイト、及びレッドを表示する。
【００８０】
本発明の実施形態で、サブ画素の数は画素の数の２．５倍である。例えば、２つの画素ＰＸ１、ＰＸ２は５つのサブ画素Ｒ、Ｇ、Ｂ、Ｗ、Ｒを含む。言い換えれば、第１方向ＤＲ１に５つのサブ画素Ｒ、Ｇ、Ｂ、Ｗ、Ｒは２つの第１画素ＰＸ１及び第２画素ＰＸ２が配置された第１画素領域ＰＡ１及び第２画素領域ＰＡ２内に配置されてもよい。
【００８１】
図３は図２の第１画素ＰＸ１とその周辺とを拡大して示した図面である。図３には第１方向ＤＲ１に互いに隣接するデータラインＤＬｊ〜ＤＬｊ＋３（１≦ｊ＜ｍ）と第２方向ＤＲ２に互いに隣接するゲートラインＧＬｉ、ＧＬｉ＋１（１≦ｉ＜ｋ）とを図示した。図３で、データラインＤＬｊ〜ＤＬｊ＋３（１≦ｊ＜ｍ）とゲートラインＧＬｉ、ＧＬｉ＋１（１≦ｉ＜ｋ）によって区画された領域には薄膜トランジスタ及び薄膜トランジスタと接続された電極が具備されているが、ここでは省略された。
【００８２】
図２及び図３を参照すると、第１画素ＰＸ１及び第２画素ＰＸ２の各々の横縦比（第１方向ＤＲ１の長さＷ１対第２方向ＤＲ２の長さＷ３）は実質的に１：１である。ここで、“実質的に”という用語の意味は工程の上に誤差等によって微細に変わられる範囲を含む。第１及び第２画素ＰＸ１、ＰＸ２は同一の形状を有するので、以下、第１画素ＰＸ１を一例として説明する。
【００８３】
第１画素ＰＸ１の第１方向ＤＲ１の長さＷ１はｊ番目のデータラインＤＬｊの第１方向ＤＲ１幅の中心とｊ＋１番目のデータラインＤＬｊ＋１の第１方向ＤＲ１幅の中心との間の距離Ｗ２の２．５倍として定義される。言い換えれば、第１画素ＰＸ１の第１方向ＤＲ１の長さＷ１はｊ番目のデータラインＤＬｊの第１方向ＤＲ１幅の中心とｊ＋２番目のデータラインＤＬｊ＋２の第１方向ＤＲ１幅の中心との間の距離及びｊ＋２番目のデータラインＤＬｊ＋２の第１方向ＤＲ１幅の中心とｊ＋３番目のデータラインＤＬｊ＋３の第１方向ＤＲ１幅の中心との間の距離の半分を加算した値である。言い換えれば、第１画素ＰＸ１の第１方向ＤＲ１の長さＷ１はｊ番目のデータラインＤＬｊの第１方向ＤＲ１幅の中心とｊ＋２番目のデータラインＤＬｊ＋２の第１方向ＤＲ１幅の中心との間の距離及びｊ＋２番目のデータラインＤＬｊ＋２の第１方向ＤＲ１幅の中心とｊ＋３番目のデータラインＤＬｊ＋３の第１方向ＤＲ１幅の中心との間の距離の半分を合算した値である。
【００８４】
第１画素ＰＸ１の第２方向ＤＲ２の長さＷ３はｉ番目のゲートラインＧＬｉの第２方向ＤＲ２幅の中心とｉ＋１番目のゲートラインＧＬｉ＋１の第２方向ＤＲ２幅の中心との間の距離として定義される。一方、これに制限されることではなく、第１画素ＰＸ１の第２方向ＤＲ２の長さＷ３はｉ番目のゲートラインＧＬｉの第２方向ＤＲ２幅の中心とｉ＋２番目のゲートラインの第２方向ＤＲ２幅の中心との間の距離の半分として定義される。
【００８５】
図４は図２の１つのサブ画素（レッドサブ画素）とその周辺とを拡大して示した図面である。図４には第１方向ＤＲ１に互いに隣接するデータラインＤＬｊ、ＤＬｊ＋１（１≦ｊ＜ｍ）と第２方向ＤＲ２に互いに隣接するゲートラインＧＬｉ、ＧＬｉ＋１（１≦ｉ＜ｋ）とを図示した。図４で、データラインＤＬｊ〜ＤＬｊ＋１（１≦ｊ＜ｍ）とゲートラインＧＬｉ、ＧＬｉ＋１（１≦ｉ＜ｋ）とによって区画された領域には薄膜トランジスタ及び薄膜トランジスタと接続された電極が具備されているが、ここでは省略された。
【００８６】
図２及び図４を参照すれば、サブ画素Ｒ、Ｇ、Ｂ、Ｗの各々の横縦比（第１方向ＤＲ１の長さＷ４対第２方向ＤＲ２の長さＷ５）は実質的に１：２．５である。ここで、“実質的に”という用語の意味は工程の上に誤差等によって微細に変わられる範囲を含む。サブ画素Ｒ、Ｇ、Ｂ、Ｗは同一の形状を有するので、以下、レッドサブ画素Ｒを一例として説明する。
【００８７】
レッドサブ画素Ｒの第１方向ＤＲ１の長さＷ４はｊ番目のデータラインＤＬｊの第１方向ＤＲ１幅の中心とｊ＋１番目のデータラインＤＬｊ＋１の第１方向ＤＲ１幅の中心との間の距離Ｗ４として定義される。一方、これに制限されることではなく、レッドサブ画素Ｒの第１方向ＤＲ１の長さＷ４はｊ番目のデータラインＤＬｊの第１方向ＤＲ１幅の中心とｊ＋２番目のデータラインの第１方向ＤＲ１幅の中心との間の距離の半分として定義される。
【００８８】
レッドサブ画素Ｒの第２方向ＤＲ２の長さＷ５はｉ番目のゲートラインＧＬｉの第２方向ＤＲ２幅の中心とｉ＋１番目のゲートラインＧＬｉ＋１の第２方向ＤＲ２幅の中心との間の距離として定義される。一方、これに制限されることではなく、レッドサブ画素Ｒの第２方向ＤＲ２の長さＷ５はｉ番目のゲートラインＧＬｉの第２方向ＤＲ２幅の中心とｉ＋２番目のゲートラインの第２方向ＤＲ２幅の中心との間の距離の半分として定義される。
【００８９】
再び図２乃至図４を参照すると、２行５列に配列されたサブ画素は実質的に正方形をなす。即ち、第１画素グループＰＧ１及び第３画素グループＰＧ３に含まれたサブ画素は実質的に正方形をなす。
【００９０】
また、画素グループＰＧ１〜ＰＧ４の各々の横縦比は２：１である。第１画素グループＰＧ１を一例として説明すれば、第１画素グループＰＧ１はｎ個（ｎは３以上の奇数）のサブ画素Ｒ、Ｇ、Ｂ、Ｗ、Ｒからなされる。第１画素グループＰＧ１をなすサブ画素Ｒ、Ｇ、Ｂ、Ｗ、Ｒの各々の横縦比は実質的に２：ｎである。図２の実施形態で、ｎは５であるので、サブ画素Ｒ、Ｇ、Ｂ、Ｗ、Ｒの横縦比は１：２．５である。
【００９１】
本発明の表示装置によれば、１つの画素が２．５個のサブ画素を含むことによって、ＲＧＢ  Ｓｔｒｉｐｅ構造と同一の解像度を表現しながらも、データラインの数を５／６に減少させることができる。データラインの数が減少されることによって、データドライバ（図１の４００）の構成が簡単になってデータドライバ（図１の４００）の製造費用を節減することができる。また、データラインの数が減少されることによって開口率も増加することができる。
【００９２】
また、本発明の表示装置によれば、１つの画素で３個の色相を表示することができるので、１つの画素がＲＧＢＷの中で２つのサブ画素を含む構造と同一の解像度を有する場合にもさらに高い色再現性を有してもよい。
【００９３】
図５は図１のタイミングコントローラを示したブロック図である。
【００９４】
図５を参照すると、タイミングコントローラ２００はガンマ補正部２１１、ガンママッピング部２１３、サブ画素レンダリング部２１５、及び逆ガンマ補正部２１７を含む。
【００９５】
ガンマ補正部２１１はレッド、グリーン、及びブルーデータを有する入力データＲＧＢを受信する。一般的に、入力データＲＧＢは非線形的な特性を有する。ガンマ補正部２１１は非線形の特性を有する入力データＲＧＢにガンマ関数を適用して入力データＲＧＢを線形化させる。ガンマ補正部２１１は、以後のブロック（ガンママッピング部、サブ画素レンダリング部）でデータ処理を容易に遂行するために非線形の特性を有する入力データＲＧＢに基づいて線形化された入力データＲＧＢ’を生成する。線形化された入力データＲＧＢ’はガンママッピング部２１３に提供される。
【００９６】
ガンママッピング部２１３は線形化された入力データＲＧＢ’に基づいてレッド、グリーン、ブルー、及びホワイトデータを有するＲＧＢＷデータＲＧＢＷを生成する。ガンママッピング部２１３は色域マッピングアルゴリズム（Ｇａｍｕｔ  Ｍａｐｐｉｎｇ  Ａｌｇｏｒｉｓｍ；ＧＭＡ）を通じて線形化された入力データＲＧＢ’のＲＧＢ色域をＲＧＢＷ色域にマッピングさせてＲＧＢＷデータＲＧＢＷを生成する。ＲＧＢＷデータＲＧＢＷはサブ画素レンダリング部２１５に提供される。
【００９７】
また、図５には具体的に図示しなかったが、ガンママッピング部２１３はＲＧＢＷデータＲＧＢＷの以外に、線形化された入力データＲＧＢ’の輝度データをさらに生成する。輝度データはサブ画素レンダリング部２１５に提供され、シャープフィルタリング（Ｓｈａｒｐ  ｆｉｌｔｅｒｉｎｇ）の動作に活用される。
【００９８】
サブ画素レンダリング部２１５はＲＧＢＷデータＲＧＢＷに対するレンダリング動作を遂行してサブ画素Ｒ、Ｇ、Ｂ、Ｗの各々に対応するレンダリングデータＲＧＢＷ２を生成する。ＲＧＢＷデータＲＧＢＷは各画素領域に対応するレッド、グリーン、ブルー、及びホワイトからなされた４つの色相に関するデータを有する。但し、本発明の実施形態で、１つの画素は互に異なる３色相を表現する２．５個のサブ画素（共有サブ画素を含む）を有するので、レンダリングデータＲＧＢＷ２は各画素領域に対応するレッド、グリーン、ブルー、及びホワイトの中で３個の色相に関するデータを有してもよい。
【００９９】
サブ画素レンダリング部２１５で遂行されるレンダリング動作は再サンプルフィルタリング（Ｒｅ−ｓａｍｐｌｅ  ｆｉｌｔｅｒｉｎｇ）動作及びシャープフィルタリング（Ｓｈａｒｐ  ｆｉｌｔｅｒｉｎｇ）動作を含む。再サンプルフィルタリング動作は、レンダリングデータＲＧＢＷ２の中でターゲット画素に印加されるデータをＲＧＢＷデータＲＧＢＷの中でターゲット画素とターゲット画素に隣接する周囲画素に対応されるデータに基づいて生成する過程であり、シャープフィルタリング動作は、ＲＧＢＷデータＲＧＢＷのライン、エッジ、点、斜線等を判別し、判別されたデータに基づいてＲＧＢＷデータＲＧＢＷを補償する過程である。以下で、再サンプルフィルタリング動作を主に説明する。
【０１００】
レンダリングデータＲＧＢＷ２は逆ガンマ補正部２１７に提供される。逆ガンマ補正部２１７はレンダリングデータＲＧＢＷ２に対して逆ガンマ補正を遂行してレンダリングデータＲＧＢＷ２をガンマ補正前の非線形化されたＲＧＢＷデータＲＧＢＷ’に変換する。非線形化されたＲＧＢＷデータＲＧＢＷ’のデータフォーマットはデータドライバ４００の仕様に合うように変換されて出力データＲＧＢＷｆとしてデータドライバ４００に提供される。
【０１０１】
図６は図５のサブ画素レンダリング部を示したブロック図である。
【０１０２】
図６を参照すると、サブ画素レンダリング部２１５は第１レンダリング部２１５１及び第２レンダリング部２１５３を含む。
【０１０３】
第１レンダリング部２１５１は再サンプルフィルターを使用してＲＧＢＷデータＲＧＢＷに基づいて各画素内のサブ画素に対応する中間レンダリングデータＲＧＢＷ１を生成する。ＲＧＢＷデータＲＧＢＷは各画素領域に対応するレッド、グリーン、ブルー、及びホワイトデータを有する。中間レンダリングデータＲＧＢＷ１は各画素領域に対応する２つのノーマルサブ画素データと共有サブ画素データの一部とを有する。共有サブ画素データは１つの画素領域に対応する共有サブ画素データの一部と他の画素領域に対応する共有サブ画素データの残りの一部とを含む。
【０１０４】
各画素内で共有サブ画素が占める面積は、１つのノーマルサブ画素が占める面積に比べて小さいので、各画素に対応する共有サブ画素データの一部の最大階調はノーマルサブ画素データの最大の階調に比べて小さい。共有サブ画素データの一部の階調とノーマルサブ画素データの階調とは再サンプルフィルターのスケール係数によって決定される。
【０１０５】
以下、図６乃至図１１Ｃを参照して、第１レンダリング部２１５１の具体的なレンダリング動作を説明する。
【０１０６】
図７は本発明の実施形態に係る３ｘ４の画素領域を示した図面であり、図８は図７の第５画素領域に配置された第１画素を示した図面であり、図９Ａ乃至図９Ｃは図８の第１画素データを生成するのに使用される再サンプルフィルターを示した図面である。
【０１０７】
図８で第１画素ＰＸ１はレッドサブ画素Ｒ１、グリーンサブ画素Ｇ１、及びブルーサブ画素Ｂ１を含むことを一例として図示した。レッドサブ画素Ｒ１は第１ノーマルサブ画素として定義され、グリーンサブ画素Ｇ１は第２ノーマルサブ画素として定義され、ブルーサブ画素Ｂ１は第１共有サブ画素として定義される。
【０１０８】
レッドサブ画素Ｒ１（第１ノーマルサブ画素）及びグリーンサブ画素Ｇ１（第２ノーマルサブ画素）の各々は独立的なサブ画素として第１画素ＰＸ１に含まれる。ブルーサブ画素Ｂ１（第１共有サブ画素）は共有サブ画素の一部である。ブルーサブ画素Ｂ１は１つの独立的なサブ画素ではなく、第１画素ＰＸ１に含まれた共有サブ画素の一部をデータ処理のために概念的に説明するためのものである。即ち、第１画素ＰＸ１のブルーサブ画素Ｂ１は第２画素ＰＸ２のブルーサブ画素Ｂ２と共に１つの独立的な共有サブ画素を構成する。
【０１０９】
以下、中間レンダリングデータＲＧＢＷ１の中で第１画素ＰＸ１に対応するデータを第１画素データであると定義する。第１画素ＰＸ１データは第１ノーマルサブ画素Ｒ１に対応する第１ノーマルサブ画素データ、第２ノーマルサブ画素に対応する第２ノーマルサブ画素Ｇ１データ、及び第１共有サブ画素Ｂ１に対応する第１共有サブ画素データを含む。
【０１１０】
図７及び図８を参照すると、第１画素データは、ＲＧＢＷデータＲＧＢＷの中で第１画素ＰＸ１が配置された第５画素領域ＰＡ５及び第５画素領域ＰＡ５を囲む複数の画素領域ＰＡ１〜ＰＡ４、ＰＡ６〜ＰＡ９に対応するデータに基づいて形成される。
【０１１１】
第１乃至第９画素領域ＰＡ１〜ＰＡ９の位置は、第１行第１列、第２行第１列、第３行第１列、第１行第２列第２行第２列、第３行第２列、第１行第３列、第２行第３列、第３行第３列に設定される。
【０１１２】
本発明の実施形態で、第１画素データは第１乃至第９画素領域ＰＡ１〜ＰＡ９に対応するデータに基づいて形成される。一方、これに制限されることではなく、第１画素データは９つの画素領域ＰＡ１〜ＰＡ９より多い数の画素領域に対応するデータに基づいて形成されてもよく、９つの画素領域ＰＡ１〜ＰＡ９より小さい数の画素領域に対応するデータに基づいて形成されてもよい。
【０１１３】
再サンプルフィルターは、第１ノーマル再サンプルフィルターＲＦ１（図９Ａ参照）、第２ノーマル再サンプルフィルターＧＦ１（図９Ｂ参照）、及び第１共有再サンプルフィルターＢＦ１（図９Ｃ参照）を含む。再サンプルフィルターのスケール係数は１つのサブ画素データの中で該当画素領域に対応するＲＧＢＷデータＲＧＢＷが占める比率を示す。再サンプルフィルターのスケール係数は０以上１未満の値を有する。
【０１１４】
図９Ａは第１画素データの第１ノーマルサブ画素データを生成するのに使用される第１ノーマル再サンプルフィルターＲＦ１の一例である。
【０１１５】
図９Ａを参照すると、第１ノーマル再サンプルフィルターＲＦ１のスケール係数は、第１乃至第９画素領域ＰＡ１〜ＰＡ９に各々対応して、０、０．１２５、０、０．０６２５、０．６２５、０．０６２５、０．０６２５、０、０．０６２５である。
【０１１６】
第１レンダリング部２１５１はＲＧＢＷデータＲＧＢＷの中で第１乃至第９画素領域ＰＡ１〜ＰＡ９に対応するレッドデータを第１ノーマル再サンプルフィルターＲＦ１の該当位置のスケール係数と掛ける。例えば、第１画素領域ＰＡ１に対応するレッドデータには第１画素領域ＰＡ１に対応する第１ノーマル再サンプルフィルターＲＦ１のスケール係数である０を掛け、第２画素領域ＰＡ２に対応するレッドデータには第２画素領域ＰＡ２に対応する第１ノーマル再サンプルフィルターＲＦ１のスケール係数である０．１２５を掛け、類似な方式に、第９画素領域ＰＡ９に対応するレッドデータには第９画素領域ＰＡ９に対応する第１ノーマル再サンプルフィルターＲＦ１のスケール係数である０．０６２５を掛ける。
【０１１７】
第１レンダリング部２１５１は第１乃至第９画素領域ＰＡ１〜ＰＡ９のレッドデータと第１ノーマル再サンプルフィルターＲＦ１のスケール係数を掛けた値の合計を第１画素ＰＸ１の第１ノーマルサブ画素データとして算出する。
【０１１８】
図９Ｂは第１画素データの第２ノーマルサブ画素データを生成するのに使用される第２ノーマル再サンプルフィルターの一例である。
【０１１９】
図９Ｂを参照すると、第２ノーマル再サンプルフィルターＧＦ１のスケール係数は、第１乃至第９画素領域ＰＡ１〜ＰＡ９に各々対応して、０、０、０、０．１２５、０．６２５、０．１２５、０、０．１２５、０である。
【０１２０】
第１レンダリング部２１５１はＲＧＢＷデータＲＧＢＷの中で第１乃至第９画素領域ＰＡ１〜ＰＡ９に対応するグリーンデータを第２ノーマル再サンプルフィルターＧＦ１の該当位置のスケール係数と掛け、掛けた値の合計を第２ノーマルサブ画素データとして算出する。具体的なレンダリング過程は第１画素ＰＸ１の第１ノーマルサブ画素データを算出する過程と類似であるので、ここでは省略する。
【０１２１】
図９Ｃは第１画素データの第１共有サブ画素データを生成するのに使用される第１共有再サンプルフィルターの一例である。
【０１２２】
図９Ｃを参照すると、第１共有再サンプルフィルターＢＦ１のスケール係数は、第１乃至第９画素領域ＰＡ１〜ＰＡ９に各々対応して、０．０６２５、０、０．０６２５、０、０．２５、０、０、０．１２５、０である。
【０１２３】
第１レンダリング部２１５１はＲＧＢＷデータＲＧＢＷの中で第１乃至第９画素領域ＰＡ１〜ＰＡ９に対応するブルーデータを第１共有再サンプルフィルターＢＦ１の該当位置のスケール係数と掛け、掛けた値の合計を第１共有サブ画素Ｂ１データとして算出する。具体的なレンダリング過程は第１画素ＰＸ１データの第１ノーマルサブ画素Ｒ１データを算出する過程と類似であるので、ここでは省略する。
【０１２４】
図１０は図７の第８画素領域に配置された第２画素を示した図面であり、図１１Ａ乃至図１１Ｃは図１０の第２画素データを生成するのに使用される再サンプルフィルターを示した図面である。
【０１２５】
図１０で第２画素ＰＸ２はブルーサブ画素Ｂ２、ホワイトサブ画素Ｗ２、及びレッドサブ画素Ｒ２を含むことを一例として図示した。この時、ホワイトサブ画素Ｗ２は第３ノーマルサブ画素として定義され、レッドサブ画素Ｒ２は第４ノーマルサブ画素として定義され、ブルーサブ画素Ｂ２は第２共有サブ画素として定義される。
【０１２６】
ホワイトサブ画素Ｗ１（第３ノーマルサブ画素）及びレッドサブ画素Ｒ２（第４ノーマルサブ画素）の各々は独立的なサブ画素として第２画素ＰＸ２に含まれる。ブルーサブ画素Ｂ２（第２共有サブ画素）は１つの独立的な共有サブ画素で第１画素ＰＸ１のブルーサブ画素Ｂ１を除外した残りの一部である。第１画素ＰＸ１のブルーサブ画素Ｂ１は第２画素ＰＸ２のブルーサブ画素Ｂ２と共に１つの独立的な共有サブ画素を構成する。
【０１２７】
以下、中間レンダリングデータＲＧＢＷ１の中で第２画素ＰＸ２に対応するデータを第２画素データであると定義する。第２画素データは第２共有サブ画素Ｂ２に対応する第２共有サブ画素データ、第３ノーマルサブ画素Ｗ２に対応する第３ノーマルサブ画素データ、及び第４ノーマルサブ画素Ｒ２に対応する第４ノーマルサブ画素データを含む。
【０１２８】
図７及び図１０を参照すると、第２画素データはＲＧＢＷデータＲＧＢＷの中で第２画素ＰＸ２が配置された第８画素領域ＰＡ８及び第８画素領域ＰＡ８を囲む複数の画素領域ＰＡ４〜ＰＡ７、ＰＡ９〜ＰＡ１２に対応するデータに基づいて形成される。
【０１２９】
第４乃至第１２画素領域ＰＡ４〜ＰＡ１２の位置は、第１行第１列、第２行第１列、第３行第１列、第１行第２列第２行第２列、第３行第２列、第１行第３列、第２行第３列、第３行第３列に設定される。
【０１３０】
第４乃至第１２画素領域ＰＡ４〜ＰＡ１２の位置は、第１行第１列、第２行第１列、第３行第１列、第１行第２列第２行第２列、第３行第２列、第１行第３列、第２行第３列、第３行第３列に設定される。一方、これに制限されることではなく、第２画素データは９つの画素領域ＰＡ４〜ＰＡ１２よりさらに多い数の画素領域に対応するデータに基づいて形成されてもよく、９つの画素領域ＰＡ４〜ＰＡ１２より小さい数の画素領域に対応するデータに基づいて形成されてもよい。
【０１３１】
再サンプルフィルターは第２共有再サンプルフィルターＢＦ２（図１１Ａ参照）、第３ノーマル再サンプルフィルターＷＦ２（図１１Ｂ参照）、及び第４ノーマル再サンプルフィルターＲＦ２（図１１Ｃ参照）を含む。再サンプルフィルターのスケール係数は１つのサブ画素データの中で該当画素領域に対応するＲＧＢＷデータＲＧＢＷが占める比率を示す。再サンプルフィルターのスケール係数は０以上１未満の値を有する。
【０１３２】
図１１Ａは第２画素ＰＸ２データの第２共有サブ画素Ｂ２データを生成するのに使用される第２共有再サンプルＲＦ２フィルターの一例である。
【０１３３】
図１１Ａを参照すると、第１共有再サンプルフィルターＢＦ２のスケール係数は、第４乃至第１２画素領域ＰＡ４〜ＰＡ１２に各々対応して、０、０．１２５、０、０、０．２５、０、０．０６２５、０、０．０６２５である。
【０１３４】
第１レンダリング部２１５１はＲＧＢＷデータＲＧＢＷの中で第４乃至第１２画素領域ＰＡ４〜ＰＡ１２に対応するブルーデータを第２共有再サンプルフィルターＢＦ２の該当位置のスケール係数と掛け、掛けた値の合計を第２共有サブ画素Ｂ２データとして算出する。具体的なレンダリング過程は第１画素データの第１共有サブ画素データを算出する過程と類似であるので、ここでは省略する。
【０１３５】
図１１Ｂは第２画素データの第３ノーマルサブ画素データを生成するのに使用される第３ノーマル再サンプルフィルターＷＦ２の一例である。
【０１３６】
図１１Ｂを参照すると、第３ノーマル再サンプルフィルターＷＦ２のスケール係数は、第４乃至第１２画素領域ＰＡ４〜ＰＡ１２に各々対応して、０、０．１２５、０、０．１２５、０．６２５、０．１２５、０、０、０である。
【０１３７】
第１レンダリング部２１５１はＲＧＢＷデータＲＧＢＷの中で第４乃至第１２画素領域ＰＡ４〜ＰＡ１２に対応するホワイトデータを第３ノーマル再サンプルフィルターＷＦ２の該当位置のスケール係数と掛け、掛けた値の合計を第３ノーマルサブ画素データとして算出する。具体的なレンダリング過程は第１画素データの第１ノーマルサブ画素データを算出する過程と類似であるので、ここでは省略する。
【０１３８】
図１１Ｃは第２画素ＰＸ２データの第４ノーマルサブ画素Ｒ２データを生成するのに使用される第４ノーマル再サンプルフィルターＲＦ２の一例である。
【０１３９】
図１１Ｃを参照すると、第４ノーマル再サンプルフィルターＲＦ２のスケール係数は、第４乃至第１２画素領域ＰＡ４〜ＰＡ１２に各々対応して、０．０６２５、０、０．０６２５、０．０６２５、０．６２５、０．０６２５、０、０．１２５、０である。
【０１４０】
第１レンダリング部２１５１はＲＧＢＷデータＲＧＢＷの中で第４乃至第１２画素領域ＰＡ４〜ＰＡ１２に対応するレッドデータを第４ノーマル再サンプルフィルターＲＦ２の該当位置のスケール係数と掛け、掛けた値の合計を第４ノーマルサブ画素データとして算出する。具体的なレンダリング過程は第１画素データの第１ノーマルサブ画素データを算出する過程と類似であるので、ここでは省略する。
【０１４１】
本発明の実施形態で、再サンプルフィルターのスケール係数は各画素内の該当サブ画素が占める面積を考慮して決定される。以下、第１画素ＰＸ１及び第２画素ＰＸ２を例示的に説明する。
【０１４２】
第１画素ＰＸ１内で、第１ノーマルサブ画素Ｒ１と第２ノーマルサブ画素Ｇ１との各々が占める面積は第１共有サブ画素Ｂ１が占める面積に比べて大きい。具体的に、第１画素ＰＸ１内で第１ノーマルサブ画素Ｒ１と第２ノーマルサブ画素Ｇ１との各々が占める面積は第１共有サブ画素Ｂ１が占める面積の２倍である。
【０１４３】
第１共有再サンプルフィルターＢＦ１のスケール係数の総合は第１ノーマル再サンプルフィルターＲＦ１のスケール係数の総合の半分である。また、第１共有再サンプルフィルターＢＦ１のスケール係数の総合は第２ノーマル再サンプルフィルターＧＦ１のスケール係数の総合の半分である。図９Ａ乃至図９Ｃを参照すると、第１ノーマル再サンプルフィルターＲＦ１及び第２ノーマル再サンプルフィルターＧＦ１の各々のスケール係数の総合は１であり、第１共有再サンプルフィルターＢＦ１のスケール係数の総合は０．５である。
【０１４４】
したがって、第１共有サブ画素データの最大階調は第１ノーマルサブ画素データ及び第２ノーマルサブ画素データの各々の最大階調に比べて半分である。
【０１４５】
同様に、第２画素ＰＸ２内で、第３ノーマルサブ画素Ｗ２と第４ノーマルサブ画素Ｒ２の各々が占める面積は第２共有サブ画素Ｂ２が占める面積に比べて大きい。具体的に、第２画素ＰＸ２内で第３ノーマルサブ画素Ｗ２と第４ノーマルサブ画素Ｒ２との各々が占める面積は第２共有サブ画素Ｂ２が占める面積の２倍である。
【０１４６】
第２共有再サンプルフィルターＢＦ２のスケール係数の総合は第３ノーマル再サンプルフィルターＷＦ２のスケール係数の総合の半分である。また、第２共有再サンプルフィルターＢＦ２のスケール係数の総合は第４ノーマル再サンプルフィルターＲＦ２のスケール係数の総合の半分である。図１１Ａ乃至図１１Ｃを参照すると、第３ノーマル再サンプルフィルターＷＦ２及び第４ノーマル再サンプルフィルターＲＦ２の各々のスケール係数の総合は１であり、第２共有再サンプルフィルターＢＦ２のスケール係数の総合は０．５である。
【０１４７】
したがって、第２共有サブ画素データの最大階調は第３ノーマルサブ画素データ及び第４ノーマルサブ画素データの各々の最大階調に比べて半分である。
【０１４８】
再び、図６乃至図８及び図１０を参照すると、第２レンダリング部２１５３は中間レンダリングデータＲＧＢＷ１の中で第１共有サブ画素Ｂ１データ及び第２共有サブ画素Ｂ２データを演算して共有サブ画素データを生成する。共有サブ画素データは第１共有サブ画素Ｂ１及び第２共有サブ画素Ｂ２からなされた１つの独立的な共有サブ画素に対応する。
【０１４９】
第２レンダリング部２１５３は第１画素ＰＸ１データの中で第１共有サブ画素Ｂ１データと第２画素ＰＸ２データとの中で第２共有サブ画素Ｂ２データを合算して共有サブ画素データを生成する。
【０１５０】
共有サブ画素（第１画素ＰＸ１のブルーサブ画素Ｂ１と第２画素ＰＸ２のブルーサブ画素Ｂ２）データの最大階調は第１乃至第４ノーマルサブ画素Ｒ１、Ｇ１、Ｗ２、Ｒ２データの各々の最大階調と互いに同一である。第１画素ＰＸ１に適用される第１共有再サンプルフィルターＢＦ１のスケール係数の総合及び第２画素ＰＸ２に適用される第２共有再サンプルフィルターＢＦ２のスケール係数の総合を合算した値は１であり、他の再サンプルフィルターＲＦ１、ＧＦ１、ＷＦ２、ＲＦ２の各々のスケール係数の総合は１である。
【０１５１】
第２レンダリング部２１５３は中間レンダリングデータＲＧＢＷ１の中で第１乃至第４ノーマルサブ画素Ｒ１、Ｇ１、Ｗ２、Ｒ２データを変更しなくともよい。
【０１５２】
第２レンダリング部２１５３は第１乃至第４ノーマルサブ画素Ｒ１、Ｇ１、Ｗ２、Ｒ２データと共有サブ画素データをレンダリングデータＲＧＢＷ２として出力する。
【０１５３】
図１２は図２の表示パネルを含む表示装置、第１比較例、及び第２比較例のｐｐｉにしたがう透過率を示したグラフであり、表１は図２の表示パネルを含む表示装置、第１比較例、及び第２比較例のｐｐｉにしたがう透過率を記載した表である。
【表１】
2018101140.tif 000003
【０１５４】
図１２及び表１で、第１比較例は１つの画素が第１方向にＲＧＢＷサブ画素の中で２つのサブ画素からなされた構造である。また、第２比較例は１つの画素が第１方向に３個のＲＧＢサブ画素からなされたＲＧＢ  Ｓｔｒｉｐｅ構造である。
【０１５５】
図１２及び表１で、本発明、第１比較例、及び第２比較例の最大ｐｐｉ（ｐｉｘｅｌ  ｐｅｒ  ｉｎｃｈ）は該当構造の各サブ画素の短辺（図２の表示パネルの場合、各サブ画素の第１方向ＤＲ１の長さ）の工程の限界値を１５マイクロメートルであると仮定した時、可能である数値である。
【０１５６】
図１２及び表１を参照すると、図２の表示パネルを含む本発明の表示装置は同一の条件で第２比較例より高い最大ｐｐｉを有する。本発明の表示装置の最大ｐｐｉは６００であり、第２比較例の最大ｐｐｉは５６４である。
【０１５７】
また、本発明の表示装置及び第２比較例が同一のｐｐｉを有する場合に、本発明の表示装置は第２比較例に比べてさらに高い透過率を有する。本発明の表示装置及び第２比較例が各々５６４ｐｐｉを有する場合に、本発明の表示装置の透過率は７．１％であり、第２比較例の透過率は３．９８％である。
【０１５８】
一方、上述したように本発明の表示装置は１つの画素で３個の色相を表示できるので、第１比較例より高い色再現性を有する。
【０１５９】
図１３は本発明の他の実施形態に係る図１の表示パネルの一部を示した図面である。
【０１６０】
図１３に図示された表示パネル１０１は図２に図示された表示パネル１００と比較すれば、サブ画素の色相配列に差異があり、残りは実質的に類似である。以下、図１３に図示された表示パネル１０１について、図２に図示された表示パネル１００と比較して差異点を中心に説明する。
【０１６１】
図１３で、サブ画素Ｒ、Ｇ、Ｂ、Ｗは２行５列に配列された１０個のサブ画素からなされたサブ画素グループＳＰＧ単位で反復的に配列される。サブ画素グループＳＰＧは２つのレッドサブ画素、２つのグリーンサブ画素、２つのブルーサブ画素、及び４つのホワイトサブ画素を含む。
【０１６２】
サブ画素グループＳＰＧの中で第１行サブ画素は第１方向ＤＲ１にレッドサブ画素Ｒ、グリーンサブ画素Ｇ、ホワイトサブ画素Ｗ、ブルーサブ画素Ｂ、及びホワイトサブ画素Ｗの順に配列される。また、サブ画素グループＳＰＧの中で第２行サブ画素は第１方向ＤＲ１にブルーサブ画素Ｂ、ホワイトサブ画素Ｗ、ホワイトサブ画素Ｗ、レッドサブ画素Ｒ、及びグリーンサブ画素Ｇの順に配列される。一方、これに制限されることではなく、サブ画素の色相配列は多様に変更されてもよい。
【０１６３】
第１画素グループＰＧ１で共有されるサブ画素はホワイト色相を表示する。また、第２画素グループＰＧ２で共有されるサブ画素はホワイト色相を表示する。即ち、図１３の表示パネル１０１で共有サブ画素はホワイト色相を表示するホワイトサブ画素である。
【０１６４】
図１３に図示された表示パネル１０１によると、図２に図示された表示パネル１００に比べてホワイトサブ画素の数が増加されることによって、全体的な輝度が向上されてもよい。また、図１３に図示された表示パネル１０１によると、各画素グループの２つの画素はホワイトサブ画素を互いに共有することによって、１つの画素にＲＧＢＷサブ画素の中で２つのサブ画素からなされた構造に比べて各画素内でホワイトサブ画素が占める面積が減少する。また、図１３に図示された表示パネル１０１によると、各画素グループの２つの画素はホワイトサブ画素を互いに共有することによって、１つの画素にＲＧＢＷサブ画素の中で２つのサブ画素からなされた構造に比べて各画素内でホワイトサブ画素が占める面積が減少する。
【０１６５】
図１４は本発明の他の実施形態に係る図１の表示パネルの一部を示した図面である。
【０１６６】
図１４に図示された表示パネル１０２は、図２に図示された表示パネル１００と比較すれば、サブ画素の色相配列に差異があり、残りは実質的に類似である。以下、図１４に図示された表示パネル１０２について、図２に図示された表示パネル１００と比較して差異点を中心に説明する。
【０１６７】
図１４で、サブ画素Ｒ、Ｇ、Ｂ、Ｗは２行５列に配列された１０個のサブ画素からなされたサブ画素グループＳＰＧ単位で反復的に配列される。サブ画素グループＳＰＧは３個のレッドサブ画素、３個のグリーンサブ画素、２つのブルーサブ画素、及び２つのホワイトサブ画素を含む。
【０１６８】
サブ画素グループＳＰＧの中で第１行サブ画素は第１方向ＤＲ１にレッドサブ画素Ｒ、グリーンサブ画素Ｇ、ホワイトサブ画素Ｗ、ブルーサブ画素Ｂ、及びレッドサブ画素Ｒの順に配列される。また、サブ画素グループＳＰＧの中で第２行サブ画素は第１方向ＤＲ１にグリーンサブ画素Ｇ、ブルーサブ画素Ｂ、ホワイトサブ画素Ｗ、レッドサブ画素Ｒ、及びグリーンサブ画素Ｇの順に配列される。一方、これに制限されることではなく、サブ画素の色相配列は多様に変更されてもよい。
【０１６９】
第１画素グループＰＧ１で共有されるサブ画素はホワイト色相を表示する。また、第２画素グループＰＧ２で共有されるサブ画素はホワイト色相を表示する。即ち、図１４の表示パネル１０２で共有サブ画素はホワイト色相を表示するホワイトサブ画素である。
【０１７０】
図１４に図示された表示パネル１０２によると、各画素グループの２つの画素はホワイトサブ画素を互いに共有することによって、１つの画素にＲＧＢＷサブ画素の中で２つのサブ画素からなされた構造に比べて各画素内でホワイトサブ画素が占める面積が減少する。したがって、ホワイトサブ画素追加によってイエロー対ホワイト比（Ｙ／Ｗ比）が減少する問題を最小化することができる。
【０１７１】
人の目の色相別の認知解像度はグリーン＞レッド＞ブルー＞ホワイトの順である。図１４の表示パネル１０２によると、レッドサブ画素とグリーンサブ画素とを、ブルーサブ画素とホワイトサブ画素より多く配置することによって、表示装置の色相にしたがう認知解像度を向上させることができる。
【０１７２】
図１５は本発明の他の実施形態に係る図１の表示パネルの一部を示した図面である。
【０１７３】
図１５に図示された表示パネル１０３は図２に図示された表示パネル１００と比較すれば、サブ画素の色相配列及び形状に差異がある。図１５に図示された表示パネル１０３は図２に図示された表示パネル１００と比較すれば、サブ画素の色相配列及び形状に差異がある。
【０１７４】
図１５を参照すると、サブ画素ＳＰ１＿Ｒ〜ＳＰ１０＿Ｇは２行５列に配列された１０個のサブ画素からなされたサブ画素グループＳＰＧ単位で反復的に配列される。サブ画素グループＳＰＧは２つのレッドサブ画素、４つのグリーンサブ画素、２つのブルーサブ画素、及び２つのホワイトサブ画素を含む。
【０１７５】
図１５で、サブ画素グループＳＰＧの中で第１行サブ画素は第１方向ＤＲ１に第１サブ画素ＳＰ１＿Ｒ、第２サブ画素ＳＰ２＿Ｇ、第３サブ画素ＳＰ３＿Ｗ、第４サブ画素ＳＰ４＿Ｂ、及び第５サブ画素ＳＰ５＿Ｇの順に配列される。第１サブ画素ＳＰ１＿Ｒはレッド色相を表示し、第２サブ画素ＳＰ２＿Ｇはグリーン色相を表示し、第３サブ画素ＳＰ３＿Ｗはホワイト色相を表示し、第４サブ画素ＳＰ４＿Ｂはブルー色相を表示し、第５サブ画素ＳＰ５＿Ｇはグリーン色相を表示する。
【０１７６】
また、サブ画素グループＳＰＧの中で第２行サブ画素は第１方向ＤＲ１に第６サブ画素ＳＰ６＿Ｂ、第７サブ画素ＳＰ７＿Ｇ、第８サブ画素ＳＰ８＿Ｗ、第９サブ画素ＳＰ９＿Ｒ、及び第１０サブ画素ＳＰ１０＿Ｇのの順に配列される。第６サブ画素ＳＰ６＿Ｂはブルー色相を表示し、第７サブ画素ＳＰ７＿Ｇはグリーン色相を表示し、第８サブ画素ＳＰ８＿Ｗはホワイト色相を表示し、第９サブ画素ＳＰ９＿Ｂはレッド色相を表示し、第１０サブ画素ＳＰ１０＿Ｇはグリーン色相を表示する。一方、これに制限されることではなく、第１乃至第１０サブ画素ＳＰ１＿Ｒ〜ＳＰ１０＿Ｇの色相は変更されてもよい。
【０１７７】
表示パネル１０３は画素グループＰＧ１、ＰＧ２を含む。画素グループＰＧ１、ＰＧ２の各々は互いに隣接する２つの画素を含む。図１５では２つの画素グループＰＧ１、ＰＧ２を一例として図示した。各画素グループＰＧ１、ＰＧ２は含むサブ画素の色相配列を除外すれば、互いに同一の構造を有してもよい。以下、第１画素グループＰＧ１を一例として説明する。
【０１７８】
第１画素グループＰＧ１は第１方向ＤＲ１に互いに隣接する第１画素ＰＸ１及び第２画素ＰＸ２を含む。
【０１７９】
第１画素ＰＸ１と第２画素ＰＸ２とは第３サブ画素ＳＰ３＿Ｗを互いに共有する。
【０１８０】
第１画素グループＰＧ１で共有される第３サブ画素ＳＰ３＿Ｗはホワイト色相を表示する。また、第２画素グループＰＧ２で共有される第８サブ画素ＳＰ８＿Ｗはホワイト色相を表示する。即ち、図１５の表示パネル１０３で共有サブ画素はホワイト色相を表示するホワイトサブ画素である。
【０１８１】
本発明の実施形態で、第１乃至第２画素ＰＸ１、ＰＸ２の各々は２．５個のサブ画素を含む。具体的に、第１画素ＰＸ１は第１方向ＤＲ１に第１サブ画素ＳＰ１＿Ｒ、第２サブ画素ＳＰ２＿Ｇ、及び第３サブ画素ＳＰ３＿Ｗに対する１／２持分を含む。第２画素ＰＸ２は第１方向ＤＲ１に第３サブ画素ＳＰ３＿Ｗに対する残りの１／２持分、第４サブ画素ＳＰ４＿Ｂ、及び第５サブ画素ＳＰ５＿Ｇを含む。
【０１８２】
本発明の実施形態で、サブ画素の数は画素の数の２．５倍である。例えば、２つの画素ＰＸ１、ＰＸ２は５つのサブ画素ＳＰ１＿Ｒ、ＳＰ２＿Ｇ、ＳＰ３＿Ｗ、ＳＰ４＿Ｂ、ＳＰ５＿Ｇを含む。
【０１８３】
第１画素及び第２画素ＰＸ１、ＰＸ２の各々の横縦比（第１方向ＤＲ１の長さＴ１対第２方向ＤＲ２の長さＴ２）は実質的に１：１である。第１及び第２画素グループＰＧ１〜ＰＧ２の各々の横縦比は実質的に２：１である。
【０１８４】
第１サブ画素ＳＰ１＿Ｒ、第４サブ画素ＳＰ４＿Ｂ、第６サブ画素ＳＰ６＿Ｂ、及び第９サブ画素ＳＰ９＿Ｒの各々の横縦比（第１方向ＤＲ１の長さＴ３対第２方向ＤＲ２の長さＴ２）は実質的に２：３．７５である。
【０１８５】
第２サブ画素ＳＰ２＿Ｇ、第５サブ画素ＳＰ５＿Ｇ、第７サブ画素ＳＰ７＿Ｇ、及び第１０サブ画素ＳＰ１０＿Ｇの各々の横縦比（第１方向ＤＲ１の長さＴ４対第２方向ＤＲ２の長さＴ２）は実質的に１：３．７５である。
【０１８６】
第３サブ画素ＳＰ３＿Ｗ及び第８サブ画素ＳＰ８＿Ｗの各々の横縦比（第１方向ＤＲ１の長さＴ５対第２方向ＤＲ２の長さＴ２）は実質的に１．５：３．７５である。
【０１８７】
図１５の表示パネル１０３に印加されるデータを生成する過程は図５乃至図１１Ｃを参照して説明した過程と類似であるので、具体的なレンダリング動作に対する説明は省略する。
【０１８８】
図１５の表示パネル１０３によると、各画素グループの２つの画素はホワイト色相を表示するサブ画素を互いに共有する。したがって、１つの画素が３個のＲＧＢサブ画素からなされたＲＧＢ  Ｓｔｒｉｐｅ構造及び１つの画素がＲＧサブ画素又はＢＧサブ画素からなされた構造に比べて輝度が上昇することができる。したがって、１つの画素が３個のＲＧＢサブ画素からなされたＲＧＢ  Ｓｔｒｉｐｅ構造及び１つの画素がＲＧサブ画素又はＢＧサブ画素からなされた構造に比べて輝度が上昇することができる。
【０１８９】
図１６は本発明の他の実施形態に係る図１の表示パネルの一部を示した図面である。
【０１９０】
図１６に図示された表示パネル１０４は図２に図示された表示パネル１００と比較すれば、サブ画素の長辺が第１方向ＤＲ１に延長し、第２方向ＤＲ２に互いに隣接する２つの画素が共有サブ画素を共有する点に差異がある。以下、図１６に図示された表示パネル１０４について、図２に図示された表示パネル１００と比較して差異点を中心に説明する。
【０１９１】
図１６で、サブ画素Ｒ、Ｇ、Ｂ、Ｗは４行２列に配列された８個のサブ画素からなされたサブ画素グループＳＰＧ単位で反復的に配列される。サブ画素グループＳＰＧは２つのレッドサブ画素Ｒ、２つのグリーンサブ画素Ｇ、２つのブルーサブ画素Ｂ、及び２つのホワイトサブ画素Ｗを含む。
【０１９２】
サブ画素グループＳＰＧの中で第１列サブ画素は第２方向ＤＲ２にレッドサブ画素Ｒ、グリーンサブ画素Ｇ、ブルーサブ画素Ｂ、及びホワイトサブ画素Ｗの順に配列される。また、サブ画素グループＳＰＧの中で第２列サブ画素は第２方向ＤＲ２にブルーサブ画素Ｂ、ホワイトサブ画素Ｗ、レッドサブ画素Ｒ、及びグリーンサブ画素Ｇの順に配列される。一方、これに制限されることではなく、サブ画素の色相配列は多様に変更されてもよい。
【０１９３】
表示パネル１０４は画素グループＰＧ１、ＰＧ２を含む。画素グループＰＧ１、ＰＧ２の各々は互いに隣接する２つの画素を含む。各画素グループＰＧ１、ＰＧ２は含むサブ画素の色相配列を除外すれば、互いに同一の構造を有するので、以下第１画素グループＰＧ１を一例として説明する。
【０１９４】
第１画素グループＰＧ１は第２方向ＤＲ２に互いに隣接する第１画素ＰＸ１及び第２画素ＰＸ２を含む。
【０１９５】
第１画素ＰＸ１と第２画素ＰＸ２とは共有サブ画素Ｂを互いに共有する。
【０１９６】
本発明の実施形態で、第１画素ＰＸ１及び第２画素ＰＸ２の各々は２．５個のサブ画素を含む。具体的に、第１画素ＰＸ１は第２方向ＤＲ２にレッドサブ画素Ｒ、グリーンサブ画素Ｇ、及びブルーサブ画素Ｂに対する１／２持分を含む。第２画素ＰＸ２は第２方向ＤＲ２にブルーサブ画素Ｂに対する残りの１／２持分、ホワイトサブ画素Ｗ、及びレッドサブ画素Ｒを含む。
【０１９７】
本発明の実施形態で、サブ画素の数は画素の数の２．５倍である。例えば、２つの画素ＰＸ１、ＰＸ２は５つのサブ画素Ｒ、Ｇ、Ｂ、Ｗ、Ｒを含む。
【０１９８】
第１画素ＰＸ１及び第２画素ＰＸ２の各々の横縦比（第１方向ＤＲ１の長さＴ１対第２方向ＤＲ２の長さＴ２）は実質的に１：１である。第１及び第２画素グループＰＧ１、ＰＧ２の各々の横縦比は実質的に１：２である。
【０１９９】
サブ画素Ｒ、Ｇ、Ｂ、Ｗの各々の横縦比（第１方向ＤＲ１の長さＴ１対第２方向ＤＲ２の長さＴ６）は実質的に２．５：１である。
【０２００】
図１６の表示パネル１０４によると、図２に図示された表示パネル１００と比較すれば、サブ画素が長辺が第１方向ＤＲ１に伸びているので、図２の表示パネル１００に比べてデータラインの数を減少させることができる。データラインの数の減少によってドライバＩＣの数を減少させることができ、結果的に表示パネルの製造費用を節減することができる。
【０２０１】
図１６の表示パネル１０４のサブ画素の配列は図２の表示パネル１００のサブ画素の配列を時計回り又は左回りに９０°回転させたものと類似である。同様に、本発明の他の実施形態でサブ画素は図１３乃至図１５に図示されたサブ画素グループＳＰＧを時計回り又は左回りに９０°回転させた５行２列に配列されたサブ画素グループ単位に反復的に配列される。
【０２０２】
図１７は本発明の他の実施形態に係る図１の表示パネルの一部を示した図面である。
【０２０３】
図１７を参照すると、表示パネル１０５は複数のサブ画素Ｒ、Ｇ、Ｂ、Ｗを含む。サブ画素Ｒ、Ｇ、Ｂ、Ｗは原色（ｐｒｉｍａｒｙ  ｃｏｌｏｒ）の中で１つを表示する。本実施形態で、原色はレッド、グリーン、ブルー、及びホワイトを含む。したがって、サブ画素Ｒ、Ｇ、Ｂ、Ｗはレッドサブ画素Ｒ、グリーンサブ画素Ｇ、ブルーサブ画素Ｂ、及びホワイトサブ画素Ｗを含む。一方、これに制限されることではなく、原色はイエロー、シアン、マゼンタ等の多様な色相をさらに含むことができる。
【０２０４】
図１７でサブ画素Ｒ、Ｇ、Ｂ、Ｗは２行４列に配列された８個のサブ画素からなされたサブ画素グループＳＰＧ単位で反復的に配列される。サブ画素グループＳＰＧの中で第１行サブ画素は第１方向ＤＲ１にレッドサブ画素Ｒ、グリーンサブ画素Ｇ、ブルーサブ画素Ｂ、及びホワイトサブ画素Ｗの順に配列される。また、８個のサブ画素の中で第２行サブ画素は第１方向ＤＲ１にブルーサブ画素Ｂ、ホワイトサブ画素Ｗ、レッドサブ画素Ｒ、及びグリーンサブ画素Ｇの順に配列される。一方、これに制限されることではなく、サブ画素の色相配列は多様に変更されてもよい。
【０２０５】
表示パネル１０５は画素グループＰＧ１〜ＰＧ４を含む。画素グループＰＧ１〜ＰＧ４の各々は互いに隣接する２つの画素を含む。図１７では４つの画素グループＰＧ１〜ＰＧ４を一例として図示した。各画素グループＰＧ１〜ＰＧ４は含むサブ画素の色相配列を除外すれば、互いに同一の構造を有する。以下、第１画素グループＰＧ１を一例として説明する。
【０２０６】
第１画素グループＰＧ１は第１方向ＤＲ１に互いに隣接する第１画素ＰＸ１及び第２画素ＰＸ２を含む。
【０２０７】
表示パネル１０５は複数の画素領域ＰＡ１、ＰＡ２を含み、各画素領域ＰＡ１、ＰＡ２には画素ＰＸ１、ＰＸ２が配置される。この時、画素ＰＸ１、ＰＸ２は表示パネル１０５の解像度を決定する単位素子であり、画素領域ＰＡ１、ＰＡ２は各画素が配置された領域を意味する。画素領域ＰＡ１、ＰＡ２の各々は互に異なる２つの色相を表現することができる領域である。
【０２０８】
画素領域ＰＡ１、ＰＸ２の各々は１：１の第１方向ＤＲ１対第２方向ＤＲ２の比率（以下、横縦比）を有する領域に設定される。以下で、設定された画素領域の形状（横縦比）によって１つの画素は１つのサブ画素の一部を含む。本発明によると、１つの独立的なサブ画素（一例として、第１画素グループＰＧ１のグリーンサブ画素Ｇ）は１つの画素内に含まれなく、１つの独立的なサブ画素（一例として、第１画素グループＰＧ１のグリーンサブ画素Ｇ）の一部が１つの画素内に含まれる。
【０２０９】
第１画素領域ＰＡ１には第１画素ＰＸ１が配置され、第２画素領域ＰＡ２には第２画素ＰＸ２が配置される。
【０２１０】
第１画素領域ＰＡ１と第２画素領域ＰＡ２とにはｎ個（ｎは３以上の奇数）のサブ画素Ｒ、Ｇ、Ｂが配置されてもよい。図１７で、ｎは３であり、第１画素領域ＰＡ１と第２画素領域ＰＡ２に３個のサブ画素Ｒ、Ｇ、Ｂが配置されたことを一例として図示した。
【０２１１】
サブ画素Ｒ、Ｇ、Ｂの各々は画素グループＰＧ１〜ＰＧ４の中でいずれか１つの画素グループＰＧ１に含まれる。即ち、サブ画素Ｒ、Ｇ、Ｂが２以上の画素グループの全てに共通に含まれることができない。
【０２１２】
サブ画素Ｒ、Ｇ、Ｂの中で第１方向ＤＲ１に（ｎ＋１）／第２番目のサブ画素（Ｇ、以下、共有サブ画素）は第１画素領域ＰＡ１及び第２画素領域ＰＡ２に重畳する。即ち、共有サブ画素Ｇは第１画素ＰＸ１と第２画素ＰＸ２に含まれたサブ画素Ｒ、Ｇ、Ｂの中で真ん中に配置され、第１画素領域ＰＡ１及び第２画素領域ＰＡ２に重畳する。
【０２１３】
第１画素ＰＸ１と第２画素ＰＸ２とは共有サブ画素Ｇを互いに共有する。この時、第１画素ＰＸ１と第２画素ＰＸ２とが共有サブ画素Ｇを共有するという意味は、共有サブ画素Ｇに印加されるグリーンデータが入力データＲＧＢの中で第１画素ＰＸ１に対応する第１グリーンデータと入力データＲＧＢの中で第２画素ＰＸ２に対応する第２グリーンデータに基づいて生成されたデータであるという意味である。
【０２１４】
同様に、第２乃至第４画素グループＰＧ２〜ＰＧ４の各々に含まれた２つの画素は１つの共有サブ画素を互いに共有する。第１画素グループＰＧ１の共有サブ画素はグリーンサブ画素Ｇであり、第２画素グループＰＧ２の共有サブ画素はレッドサブ画素Ｒであり、第３画素グループＰＧ３の共有サブ画素はホワイトサブ画素Ｗであり、第４画素グループＰＧ４の共有サブ画素はブルーサブ画素Ｂである。
【０２１５】
即ち、表示パネル１０５は、各々が隣接する２つの画素を含む画素グループＰＧ１〜ＰＧ４を含み、各画素グループＰＧ１〜ＰＧ４の２つの画素ＰＸ１、ＰＸ２は１つのサブ画素Ｇを共有する。
【０２１６】
第１画素ＰＸ１及び第２画素ＰＸ２は同一の１ｈ区間の間に駆動される。即ち、第１画素ＰＸ１及び第２画素ＰＸ２は同一のゲートラインに接続されて、同一のゲート信号によって駆動される。同様に、第１画素グループＰＧ１及び第２画素グループＰＧ２は同一の第１番目の１ｈ区間の間に駆動され、第３画素グループＰＧ３及び第４画素グループＰＧ４は同一の第２番目の１ｈ区間の間に駆動される。
【０２１７】
本発明の実施形態で、第１画素ＰＸ１及び第２画素ＰＸ２の各々は１．５個のサブ画素を含む。具体的に、第１画素ＰＸ１は第１方向ＤＲ１にレッドサブ画素Ｒ及びグリーンサブ画素Ｇに対する１／２持分を含む。第２画素ＰＸ２は第１方向ＤＲ１にグリーンサブ画素Ｇに対する残りの１／２持分及びブルーサブ画素Ｂを含む。
【０２１８】
本発明の実施形態で、第１画素ＰＸ１及び第２画素ＰＸ２の各々に含まれたサブ画素は互に異なる２つの色相を表現する。第１画素ＰＸ１はレッド及びグリーンを表示し、第２画素ＰＸ２はグリーン及びブルーを表示する。
【０２１９】
本発明の実施形態で、サブ画素の数は画素の数の１．５倍である。例えば、２つの画素ＰＸ１、ＰＸ２は３個のサブ画素Ｒ、Ｇ、Ｂを含む。言い換えれば、第１方向ＤＲ１に３個のサブ画素Ｒ、Ｇ、Ｂは２つの第１画素ＰＸ１及び第２画素ＰＸ２が配置された第１画素領域ＰＡ１及び第２画素領域ＰＡ２内に配置される。
【０２２０】
第１画素ＰＸ１及び第２画素ＰＸ２の各々の横縦比（第１方向ＤＲ１の長さＴ１対第２方向ＤＲ２の長さＴ２）は実質的に１：１である。
【０２２１】
サブ画素Ｒ、Ｇ、Ｂ、Ｗの各々の横縦比（第１方向ＤＲ１の長さＴ７対第２方向ＤＲ２の長さＴ２）は実質的に１：１．５である。
【０２２２】
本実施形態で、２ｘ３に配列されたサブ画素は実質的に正方形をなす。即ち、第１画素グループＰＧ２及び第３画素グループＰＧ３に含まれたサブ画素は実質的に正方形をなす。
【０２２３】
また、画素グループＰＧ１〜ＰＧ４の各々の横縦比は２：１である。第１画素グループＰＧ１を一例として説明すれば、第１画素グループＰＧ１はｎ個（ｎは３以上の奇数）のサブ画素Ｒ、Ｇ、Ｂからなされる。第１画素グループＰＧ１をなすサブ画素Ｒ、Ｇ、Ｂの各々の横縦比は実質的に２：ｎである。図１７の実施形態で、ｎは３であるので、サブ画素Ｒ、Ｇ、Ｂの横縦比は１：１．５である。
【０２２４】
本発明の表示装置によれば、１つの画素が１．５個のサブ画素を含むことによって、ＲＧＢ  Ｓｔｒｉｐｅ構造と同一の解像度を表現しながらも、データラインの数を１／２に減少させる。本発明の表示装置によれば、１つの画素が１．５個のサブ画素を含むことによって、ＲＧＢ  Ｓｔｒｉｐｅ構造と同一の解像度を表現しながらも、データラインの数を１／２に減少させる。データラインの数が減少されることによってデータドライバ（図１の４００）の構成が簡単になってデータドライバ（図１の４００）の製造費用を節減することができる。また、データラインの数が減少されることによって開口率も増加することができる。
【０２２５】
以下、図１７の表示パネル１０５に印加されるデータを生成する過程を説明する。図１７の表示パネル１０５に印加されるデータを生成する過程は図５乃至図１１Ｃを参照して説明した過程と差異点を中心に説明し、説明しない部分は図５乃至図１１Ｃと関連された説明にしたがう。
【０２２６】
図１８は図７の第５画素領域に配置された第１画素を示した図面であり、図１９Ａ及び図１９Ｂは図１８の第１画素データを生成するのに使用される再サンプルフィルターを示した図面である。
【０２２７】
図１８で第１画素ＰＸ１はレッドサブ画素Ｒ１及びグリーンサブ画素Ｇ１を含むことを一例として図示した。レッドサブ画素Ｒ１は第１ノーマルサブ画素として定義され、グリーンサブ画素Ｇ１は第１共有サブ画素として定義される。
【０２２８】
図６、図７、及び図１８を参照すると、レッドサブ画素（Ｒ１、第１ノーマルサブ画素）は独立的なサブ画素として第１画素ＰＸ１に含まれる。グリーンサブ画素（Ｇ１、第１共有サブ画素）は共有サブ画素の一部である。グリーンサブ画素Ｇ１は１つの独立的なサブ画素ではなく、第１画素ＰＸ１に含まれた共有サブ画素の一部をデータ処理のために概念的に説明するためのものである。即ち、第１画素ＰＸ１のグリーンサブ画素Ｇ１は第２画素ＰＸ２のグリーンサブ画素Ｇ２と共に１つの独立的な共有サブ画素を構成する。
【０２２９】
以下、中間レンダリングデータＲＧＢＷ１の中で第１画素ＰＸ１に対応するデータを第１画素データであると定義する。第１画素データは第１ノーマルサブ画素Ｒ１に対応する第１ノーマルサブ画素データ及び第１共有サブ画素Ｇ１に対応する第１共有サブ画素データを含む。
【０２３０】
第１画素データはＲＧＢＷデータＲＧＢＷの中で第１画素ＰＸ１が配置された第５画素領域ＰＡ５及び第５画素領域ＰＡ５を囲む複数の画素領域ＰＡ１〜ＰＡ４、ＰＡ６〜ＰＡ９に対応するデータに基づいて形成される。
【０２３１】
第１乃至第９画素領域ＰＡ１〜ＰＡ９の位置は、第１行第１列、第２行第１列、第３行第１列、第１行第２列第２行第２列、第３行第２列、第１行第３列、第２行第３列、第３行第３列に設定される。
【０２３２】
本発明の実施形態で、第１画素データは第１乃至第９画素領域ＰＡ１〜ＰＡ９に対応するデータに基づいて形成される。一方、これに制限されることではなく、第１画素データは９つの画素領域ＰＡ１〜ＰＡ９よりさらに多い数の画素領域に対応するデータに基づいて形成されてもよく、９つの画素領域ＰＡ１〜ＰＡ９より小さい数の画素領域に対応するデータに基づいて形成されてもよい。
【０２３３】
再サンプルフィルターは第１ノーマル再サンプルフィルターＲＦ１１（図１９Ａ参照）及び第１共有再サンプルフィルターＧＦ１１（図１９Ｂ参照）を含む。再サンプルフィルターのスケール係数は１つのサブ画素データの中で該当画素領域に対応するＲＧＢＷデータＲＧＢＷが占める比率を示す。再サンプルフィルターのスケール係数は０以上１未満の値を有する。
【０２３４】
図１９Ａは第１画素データの第１ノーマルサブ画素データを生成するのに使用される第１ノーマル再サンプルフィルターＲＦ１１の一例である。
【０２３５】
図１９Ａを参照すると、第１ノーマル再サンプルフィルターＲＦ１１のスケール係数は、第１乃至第９画素領域ＰＡ１〜ＰＡ９に各々対応して、０．０６２５、０．１２５、０．０６２５、０．１２５、０．３７５、０．１２５、０、０．１２５、０である。
【０２３６】
第１レンダリング部２１５１はＲＧＢＷデータＲＧＢＷの中で第１乃至第９画素領域ＰＡ１〜ＰＡ９に対応するレッドデータを第１ノーマル再サンプルフィルターＲＦ１１の該当位置のスケール係数と掛ける。例えば、第１画素領域ＰＡ１に対応するレッドデータには第１画素領域ＰＡ１に対応する第１ノーマル再サンプルフィルターＲＦ１１のスケール係数である０を掛け、第２画素領域ＰＡ２に対応するレッドデータには第２画素領域ＰＡ２に対応する第１ノーマル再サンプルフィルターＲＦ１１のスケール係数である０．１２５を掛け、類似な方式に、第９画素領域ＰＡ９に対応するレッドデータには第９画素領域ＰＡ９に対応する第１ノーマル再サンプルフィルターＲＦ１１のスケール係数である０．０６２５を掛ける。
【０２３７】
第１レンダリング部２１５１は第１乃至第９画素領域ＰＡ１〜ＰＡ９のレッドデータと第１ノーマル再サンプルフィルターＲＦ１１のスケール係数を掛けた値の合計を第１画素ＰＸ１の第１ノーマルサブ画素データとして算出する。
【０２３８】
第１レンダリング部２１５１は第１乃至第９画素領域ＰＡ１〜ＰＡ９のレッドデータと第１ノーマル再サンプルフィルターＲＦ１１のスケール係数を掛けた値の合計を第１画素ＰＸ１の第１ノーマルサブ画素データとして算出する。
【０２３９】
図１９Ｂを参照すると、第１共有再サンプルフィルターＧＦ１１のスケール係数は、第１乃至第９画素領域ＰＡ１〜ＰＡ９に各々対応して、０、１５／２５６、０、１５／２５６、４７／２５６、１５／２５６、１５／２５６、６／２５６、１５／２５６である。
【０２４０】
第１レンダリング部２１５１はＲＧＢＷデータＲＧＢＷの中で第１乃至第９画素領域ＰＡ１〜ＰＡ９に対応するグリーンデータを第１共有再サンプルフィルターＧＦ１１の該当位置のスケール係数と掛け、掛けた値の合計を第１共有サブ画素データとして算出する。具体的なレンダリング過程は第１画素ＰＸ１データの第１ノーマルサブ画素Ｒ１データを算出する過程と類似であるので、ここでは省略する。
【０２４１】
図２０は図７の第８画素領域に配置された第２画素を示した図面であり、図２１Ａ及び図２１Ｂは図２０の第２画素データを生成するのに使用される再サンプルフィルターを示した図面である。
【０２４２】
図２０で第２画素ＰＸ２はグリーンサブ画素Ｇ２、ブルーサブ画素Ｂ２を含むことを一例として図示した。この時、グリーンサブ画素Ｇ２は第２共有サブ画素として定義され、ブルーサブ画素Ｂ２は第２ノーマルサブ画素として定義される。
【０２４３】
図６、図７、及び図２０を参照すると、ブルーサブ画素Ｂ２（第２ノーマルサブ画素）は独立的なサブ画素として第２画素ＰＸ２に含まれる。グリーンサブ画素Ｇ２（第２共有サブ画素）は１つの独立的な共有サブ画素で第１画素ＰＸ１のグリーンサブ画素Ｇ１を除外した残りの一部である。第１画素ＰＸ１のグリーンサブ画素Ｇ１は第２画素ＰＸ２のグリーンサブ画素Ｇ２と共に１つの独立的な共有サブ画素を構成する。
【０２４４】
以下、中間レンダリングデータＲＧＢＷ１の中で第２画素ＰＸ２に対応するデータを第２画素データであると定義する。第２画素データは第２共有サブ画素Ｇ２に対応する第２共有サブ画素データ及び第２ノーマルサブ画素Ｂ２に対応する第２ノーマルサブ画素データを含む。
【０２４５】
第２画素データはＲＧＢＷデータＲＧＢＷの中で第２画素ＰＸ２が配置された第８画素領域ＰＡ８及び第８画素領域ＰＡ８を囲む複数の画素領域ＰＡ４〜ＰＡ７、ＰＡ９〜ＰＡ１２に対応するデータに基づいて形成される。
【０２４６】
第４乃至第１２画素領域ＰＡ４〜ＰＡ１２の位置は、第１行第１列、第２行第１列、第３行第１列、第１行第２列第２行第２列、第３行第２列、第１行第３列、第２行第３列、第３行第３列に設定される。
【０２４７】
本発明の実施形態で、第２画素データは第４乃至第１２画素領域ＰＡ４〜ＰＡ１２に対応するデータに基づいて形成される。一方、これに制限されることではなく、第２画素データは９つの画素領域ＰＡ４〜ＰＡ１２よりさらに多い数の画素領域に対応するデータに基づいて形成されてもよく、９つの画素領域ＰＡ４〜ＰＡ１２より小さい数の画素領域に対応するデータに基づいて形成されてもよい。
【０２４８】
再サンプルフィルターは第２共有再サンプルフィルターＧＦ２２（図２１Ａ参照）及び第２ノーマル再サンプルフィルターＢＦ２２（図２１Ｂ参照）を含む。再サンプルフィルターのスケール係数は１つのサブ画素データの中で該当画素領域に対応するＲＧＢＷデータＲＧＢＷが占める比率を示す。再サンプルフィルターのスケール係数は０以上１未満の値を有する。
【０２４９】
図２１Ａは第２画素データの第２共有サブ画素データを生成するのに使用される第２共有再サンプルフィルターＧＦ２２の一例である。
【０２５０】
図２１Ａを参照すると、第２共有再サンプルフィルターＧＦ２２のスケール係数は、第４乃至第１２画素領域ＰＡ４〜ＰＡ１２に各々対応して、１５／２５６、６／２５６、１５／２５６、１５／２５６、４７／２５６、１５／２５６、０、１５／２５６、０である。
【０２５１】
第１レンダリング部２１５１はＲＧＢＷデータＲＧＢＷの中で第４乃至第１２画素領域ＰＡ４〜ＰＡ１２に対応するグリーンデータを第２共有再サンプルフィルターＧＦ２２の該当位置のスケール係数と掛け、掛けた値の合計を第２共有サブ画素Ｇ２データとして算出する。具体的なレンダリング過程は第１画素ＰＸ１データの第１共有サブ画素Ｒ１データを算出する過程と類似であるので、ここでは省略する。
【０２５２】
図２１Ｂは第２画素データの第２ノーマルサブ画素データを生成するのに使用される第２ノーマル再サンプルフィルターＢＦ２２の一例である。
【０２５３】
図２１Ｂを参照すると、第２ノーマル再サンプルフィルターＢＦ２２のスケール係数は、第４乃至第１２画素領域ＰＡ４〜ＰＡ１２に各々対応して、０、０．１２５、０、０．１２５、０．３７５、０．１２５、０．０６２５、０．１２５、０．０６２５である。
【０２５４】
第１レンダリング部２１５１はＲＧＢＷデータＲＧＢＷの中で第４乃至第１２画素領域ＰＡ４〜ＰＡ１２に対応するブルーデータを第２ノーマル再サンプルフィルターＢＦ２２の該当位置のスケール係数と掛け、掛けた値の合計を第２ノーマルサブ画素データとして算出する。具体的なレンダリング過程は第１画素データの第１ノーマルサブ画素データを算出する過程と類似であるので、ここでは省略する。
【０２５５】
本発明の実施形態で、再サンプルフィルターのスケール係数は各画素内の該当サブ画素が占める面積を考慮して決定される。以下、第１画素ＰＸ１及び第２画素ＰＸ２を例示的に説明する。
【０２５６】
第１画素ＰＸ１内で、第１ノーマルサブ画素Ｒ１が占める面積は第１共有サブ画素Ｇ１が占める面積に比べて大きい。具体的に、第１画素ＰＸ１内で第１ノーマルサブ画素Ｒ１が占める面積は第１共有サブ画素Ｇ１が占める面積の２倍である。
【０２５７】
第１共有再サンプルフィルターＧＦ１１のスケール係数の総合は第１ノーマル再サンプルフィルターＲＦ１１のスケール係数の総合の半分である。図１９Ａ及び図１９Ｂを参照すると、第１ノーマル再サンプルフィルターＲＦ１１のスケール係数の総合は１であり、第１共有再サンプルフィルターＧＦ１１のスケール係数の総合は０．５である。
【０２５８】
したがって、第１共有サブ画素データの最大階調は第１ノーマルサブ画素データの最大階調に比べて半分である。
【０２５９】
同様に、第２画素ＰＸ２内で、第２ノーマルサブ画素Ｂ２が占める面積は第２共有サブ画素Ｇ２が占める面積に比べて大きい。具体的に、第２画素ＰＸ２内で第２ノーマルサブ画素Ｂ２が占める面積は第２共有サブ画素Ｇ２が占める面積の２倍である。
【０２６０】
第２共有再サンプルフィルターＧＦ２２のスケール係数の総合は第２ノーマル再サンプルフィルターＢＦ２２のスケール係数の総合の半分である。図２１Ａ及び図２１Ｂを参照すると、第２ノーマル再サンプルフィルターＢＦ２２のスケール係数の総合は１であり、第２共有再サンプルフィルターＧＦ２２のスケール係数の総合は０．５である。
【０２６１】
したがって、第２共有サブ画素データの最大階調は第２ノーマルサブ画素データの最大階調に比べて半分である。
【０２６２】
図６、図７、図１８、図２０を参照すると、第２レンダリング部２１５３は中間レンダリングデータＲＧＢＷ１の中で第１共有サブ画素データ及び第２共有サブ画素データを演算して共有サブ画素データを生成する。第２レンダリング部２１５３は第１画素データの中で第１共有サブ画素データと第２画素データとの中で第２共有サブ画素データを合算して共有サブ画素データを生成する。
【０２６３】
図２２は図１７の表示パネルを含む表示装置、第１比較例、及び第２比較例のｐｐｉにしたがう透過率を示したグラフであり、表２は図１７の表示パネルを含む表示装置、第１比較例、及び第２比較例のｐｐｉにしたがう透過率を記載した表である。
【表２】
2018101140.tif 000004
【０２６４】
図２２及び表２で、第１比較例は１つの画素が第１方向にＲＧＢＷサブ画素の中で２つのサブ画素からなされた構造である。また、第２比較例は１つの画素が第１方向に３個のＲＧＢサブ画素からなされたＲＧＢ  Ｓｔｒｉｐｅ構造である。
【０２６５】
図２２及び表２で、本発明、第１比較例、及び第２比較例の最大ｐｐｉ（ｐｉｘｅｌ  ｐｅｒ  ｉｎｃｈ）は該当構造の各サブ画素の短辺（図１７の表示パネルの場合、各サブ画素の第１方向ＤＲ１の長さ）の工程の限界値を１５マイクロメートルであると仮定した時、可能である数値である。
【０２６６】
図２２及び表２を参照すると、図１７の表示パネルを含む本発明の表示装置は同一の条件で第１比較例及び第２比較例より高い最大ｐｐｉを有する。本発明の表示装置の最大ｐｐｉは１１２８であり、第１比較例の最大ｐｐｉは８３４であり、第２比較例の最大ｐｐｉは５６４である。
【０２６７】
また、本発明の表示装置、第１比較例、及び第２比較例が同一のｐｐｉを有する場合に、本発明の表示装置は第１比較例及び第２比較例に比べてさらに高い透過率を有する。本発明の表示装置、第１比較例、及び第２比較例が各々５６４ｐｐｉを有する場合に、本発明の表示装置の透過率は７．９％であり、第１比較例の透過率は７．５％であり、第２比較例の透過率は３．９８％である。
【０２６８】
図２３は本発明の他の実施形態に係る図１の表示パネルの一部を示した図面である。
【０２６９】
図２３に図示された表示パネル１０６は図１７に図示された表示パネル１０５と比較すれば、サブ画素の色相配列に差異があり、残りは実質的に類似である。以下、図２３に図示された表示パネル１０６について、図１７に図示された表示パネル１０５と比較して差異点を中心に説明する。
【０２７０】
図２３で、サブ画素Ｒ、Ｇ、Ｂ、Ｗは２行６列に配列された１２個のサブ画素からなされたサブ画素グループＳＰＧ単位で反復的に配列される。サブ画素グループＳＰＧは４つのレッドサブ画素、４つのグリーンサブ画素、２つのブルーサブ画素、及び２つのホワイトサブ画素を含む。
【０２７１】
サブ画素グループＳＰＧの中で第１行サブ画素は第１方向ＤＲ２にレッドサブ画素Ｒ、ブルーサブ画素Ｂ、グリーンサブ画素Ｇ、レッドサブ画素Ｒ、ホワイトサブ画素Ｗ、及びブルーサブ画素Ｂの順に配列される。また、サブ画素グループＳＰＧの中で第２行サブ画素は第１方向ＤＲ１にグリーンサブ画素Ｇ、ホワイトサブ画素Ｗ、レッドサブ画素Ｒ、グリーンサブ画素Ｇ、ブルーサブ画素Ｂ、及びレッドサブ画素Ｒの順に配列される。一方、これに制限されることではなく、サブ画素の色相配列は多様に変更されてもよい。
【０２７２】
人の目の色相別の認知解像度はグリーン＞レッド＞ブルー＞ホワイトの順に小さくなる。図２３の表示パネル１０６によると、レッドサブ画素とグリーンサブ画素をブルーサブ画素とホワイトサブ画素より多く配置することによって表示装置の色相にしたがう認知解像度を向上させることができる。
【０２７３】
図２４は本発明の他の実施形態に係る図１の表示パネルの一部を示した図面である。
【０２７４】
図２４に図示された表示パネル１０７は図１７に図示された表示パネル１０５と比較すれば、サブ画素の色相配列に差異があり、残りは実質的に類似である。以下、図２４に図示された表示パネル１０７について、図１７に図示された表示パネル１０５と比較して差異点を中心に説明する。
【０２７５】
表示パネル１０７は複数のサブ画素Ｒ、Ｇ、Ｂを含む。本実施形態で、サブ画素Ｒ、Ｇ、Ｂは１行３列に配列された３個のサブ画素からなされたサブ画素グループＳＰＧ単位で反復的に配列される。サブ画素グループＳＰＧは１つのレッドサブ画素、１つのグリーンサブ画素、及び１つのブルーサブ画素を含む。即ち、図２４に図示された表示パネル１０７は図１７の表示パネル１０５と比較してホワイトサブ画素Ｗを包含しなくともよい。
【０２７６】
図２４でサブ画素Ｒ、Ｇ、Ｂは第１方向ＤＲ１に隣接する３個単位に反復的に配列される。３個のサブ画素は第１方向ＤＲ１にレッドサブ画素Ｒ、グリーンサブ画素Ｇ、及びブルーサブ画素Ｂの順に配列される。一方、これに制限されることではなく、サブ画素の色相配列は多様に変更されてもよい。
【０２７７】
表示パネル１０７は画素グループＰＧ１、ＰＧ２を含む。図２４の表示パネル１０７の各画素グループＰＧ１、ＰＧ２はサブ画素の色相配列を除外すれば、図１７に図示された各画素グループＰＧ１〜ＰＧ４と互いに同一の構造を有するので、具体的な説明を省略する。
【０２７８】
図２５は本発明の他の実施形態に係る図１の表示パネルの一部を示した図面である。
【０２７９】
図２５に図示された表示パネル１０８は図２４に図示された表示パネル１０７と比較すれば、サブ画素の配列位置に差異があり、残りは実質的に類似である。以下、図２５に図示された表示パネル１０８について図２４に図示された表示パネル１０７と比較して差異点を中心に説明する。
【０２８０】
図２５で、サブ画素は３個の第１行サブ画素Ｒ１１、Ｇ１１、Ｂ１１と３個の第２行サブ画素Ｂ２２、Ｒ２２、Ｇ２２からなされたサブ画素グループＳＰＧ単位で反復的に配列される。第１行サブ画素Ｒ１１、Ｇ１１、Ｂ１１は第１方向ＤＲ１にレッドサブ画素Ｒ１１、グリーンサブ画素Ｇ１１、及びブルーサブ画素Ｂ１１の順に配列される。また、第２行サブ画素Ｂ２２、Ｒ２２、Ｇ２２は第１方向ＤＲ１にブルーサブ画素Ｂ２２、レッドサブ画素Ｒ２２、及びグリーンサブ画素Ｇ２２の順に配列される。
【０２８１】
第２行サブ画素Ｂ２２、Ｒ２２、Ｇ２２は第１行サブ画素Ｒ１１、Ｇ１１、Ｂ１１に比べて第１方向ＤＲ１に各サブ画素の第１方向ＤＲ１幅２Ｐの半分である第１距離Ｐぐらいシフトされている。第２行ブルーサブ画素Ｂ２２は第１行レッドサブ画素Ｒ１１に比べて第１距離Ｐぐらいシフトされ、第２行レッドサブ画素Ｒ２２は第１行グリーンサブ画素Ｇ１１に比べて第１距離Ｐぐらいシフトされ、第２行グリーンサブ画素Ｇ２２は第１行ブルーサブ画素Ｂ１１に比べて第１距離Ｐぐらいシフトされている。
【０２８２】
表示パネル１０８は画素グループＰＧ１、ＰＧ２を含む。図２５の表示パネル１０８の各画素グループＰＧ１、ＰＧ２はサブ画素の色相配列を除外すれば、図１７に図示された各画素グループＰＧ１〜ＰＧ４と互いに同一の構造を有するので、具体的な説明を省略する。
【０２８３】
図２５の表示パネル１０８によると、図２４の表示パネル１０７に比べて互いに隣接する同一の色相のサブ画素間の距離が比較的均一に設定される。したがって、図２５の表示パネル１０８は同一の解像度を有する図２４の表示パネル１０７に比べてさらに細密な画像表示が可能である。
【０２８４】
図２６は本発明の他の実施形態に係る図１の表示パネルの一部を示した図面である。
【０２８５】
図２６に図示された表示パネル１０９は図１７に図示された表示パネル１０５と比較すれば、サブ画素の長辺が第１方向ＤＲ１に延長し、第２方向ＤＲ２に互いに隣接する２つの画素が共有サブ画素を共有する点に差異がある。以下、図２６に図示された表示パネル１０９について、図１７に図示された表示パネル１０５と比較して差異点を中心に説明する。
【０２８６】
図２６で、サブ画素Ｒ、Ｇ、Ｂ、Ｗは４行２列に配列された８個のサブ画素からなされたサブ画素グループＳＰＧ単位で反復的に配列される。サブ画素グループＳＰＧは２つのレッドサブ画素Ｒ、２つのグリーンサブ画素Ｇ、２つのブルーサブ画素Ｂ、及び２つのホワイトサブ画素Ｗを含む。
【０２８７】
サブ画素グループＳＰＧの中で第１列サブ画素は第２方向ＤＲ２にレッドサブ画素Ｒ、グリーンサブ画素Ｇ、ブルーサブ画素Ｂ、及びホワイトサブ画素Ｗの順に配列される。また、サブ画素グループＳＰＧの中で第２列サブ画素は第２方向ＤＲ２にブルーサブ画素Ｂ、ホワイトサブ画素Ｗ、レッドサブ画素Ｒ、及びグリーンサブ画素Ｇの順に配列される。一方、これに制限されることではなく、サブ画素の色相配列は多様に変更されてもよい。
【０２８８】
表示パネル１０９は画素グループＰＧ１〜ＰＧ４を含む。画素グループＰＧ１〜ＰＧ４の各々は互いに隣接する２つの画素を含む。各画素グループＰＧ１〜ＰＧ４は含むサブ画素の色相配列を除外すれば、互いに同一の構造を有するので、以下第１画素グループＰＧ１を一例として説明する。
【０２８９】
第１画素グループＰＧ１は第２方向ＤＲ２に互いに隣接する第１画素ＰＸ１及び第２画素ＰＸ２を含む。
【０２９０】
第１画素ＰＸ１と第２画素ＰＸ２とは共有サブ画素Ｇを互いに共有する。
【０２９１】
本発明の実施形態で、第１画素ＰＸ１及び第２画素ＰＸ２の各々は１．５個のサブ画素を含む。本発明の実施形態で、第１画素ＰＸ１及び第２画素ＰＸ２の各々は１．５個のサブ画素を含む。第２画素ＰＸ２は第２方向ＤＲ２にグリーンサブ画素Ｇに対する残りの１／２持分及びブルーサブ画素Ｂを含む。
【０２９２】
本発明の実施形態で、サブ画素の数は画素の数の１．５倍である。例えば、２つの画素ＰＸ１、ＰＸ２は３個のサブ画素Ｒ、Ｇ、Ｂを含む。
【０２９３】
第１画素ＰＸ１及び第２画素ＰＸ２の各々の横縦比（第１方向ＤＲ１の長さＴ１対第２方向ＤＲ２の長さＴ２）は実質的に１：１である。第１乃至第４画素グループＰＧ１〜ＰＧ４の各々の横縦比は実質的に１：２である。
【０２９４】
サブ画素Ｒ、Ｇ、Ｂ、Ｗの各々の横縦比（第１方向ＤＲ１の長さＴ１対第２方向ＤＲ２の長さＴ８）は実質的に１．５：１である。
【０２９５】
図２６の表示パネル１０９によると、図１７に図示された表示パネル１０５に比べてサブ画素の長辺が第１方向ＤＲ１に伸びているので、図１７の表示パネル１０５に比べてデータラインの数を減少させることができる。データラインの数の減少によってドライバＩＣの数を減少させることができ、結果的に表示パネルの製造費用を節減することができる。
【０２９６】
図２６の表示パネル１０９は図１７の表示パネル１０５のサブ画素の配列を時計回り又は左回りに９０°回転させたものと類似である。同様に、本発明の他の実施形態でサブ画素は図２３乃至２０に図示されたサブ画素グループＳＰＧを時計回り又は左回りに９０°回転させた配列されたサブ画素グループ単位に反復的に配列される。
【０２９７】
一方、本発明は記載された実施形態に限定されることでなく、本発明の思想及び範囲を逸脱しなく、多様に修正及び変形ができることはこの技術分野で通常の知識を有する者には明確である。したがって、そのような変形例又は修正例らは本発明の特許請求の範囲に属することである。
【符号の説明】
【０２９８】
１００〜１２０  表示パネル
２００  タイミングコントローラ
３００  ゲートドライバ
４００  データドライバ
１０００  表示装置
ＰＧ１〜ＰＧ４  第１乃至第４画素グループ
ＰＸ１、ＰＸ２  第１及び第２画素
【図１】
2018101140.tif 000005
【図２】
2018101140.tif 000006
【図３】
2018101140.tif 000007
【図４】
2018101140.tif 000008
【図５】
2018101140.tif 000009
【図６】
2018101140.tif 000010
【図７】
2018101140.tif 000011
【図８】
2018101140.tif 000012
【図９Ａ】
2018101140.tif 000013
【図９Ｂ】
2018101140.tif 000014
【図９Ｃ】
2018101140.tif 000015
【図１０】
2018101140.tif 000016
【図１１Ａ】
2018101140.tif 000017
【図１１Ｂ】
2018101140.tif 000018
【図１１Ｃ】
2018101140.tif 000019
【図１２】
2018101140.tif 000020
【図１３】
2018101140.tif 000021
【図１４】
2018101140.tif 000022
【図１５】
2018101140.tif 000023
【図１６】
2018101140.tif 000024
【図１７】
2018101140.tif 000025
【図１８】
2018101140.tif 000026
【図１９Ａ】
2018101140.tif 000027
【図１９Ｂ】
2018101140.tif 000028
【図２０】
2018101140.tif 000029
【図２１Ａ】
2018101140.tif 000030
【図２１Ｂ】
2018101140.tif 000031
【図２２】
2018101140.tif 000032
【図２３】
2018101140.tif 000033
【図２４】
2018101140.tif 000034
【図２５】
2018101140.tif 000035
【図２６】
2018101140.tif 000036